(57)【特許請求の範囲】
【請求項１】
無線通信システムにおいて参照信号を伝送する方法であって、該方法は、
第１のセットのアンテナポートに対する参照信号を１個以上の資源ブロックの中の第１の資源要素にマッピングすることと、
第２のセットのアンテナポートに対する参照信号を該１個以上の資源ブロックの中の第２の資源要素にマッピングすることと
を含み、
直交シーケンスが、該第１の資源要素および該第２の資源要素にマッピングされた該参照信号に適用され、
該第１のセットのアンテナポートは、アンテナポート｛Ｎ、Ｎ＋１、Ｎ＋４、Ｎ＋６｝を含み、該第２のセットのアンテナポートは、アンテナポート｛Ｎ＋２、Ｎ＋３、Ｎ＋５、Ｎ＋７｝を含み、該アンテナポートＮ〜Ｎ＋７は、それぞれ、レイヤーＬ〜Ｌ＋７に対する参照信号を伝送するために用いられる、方法。
【請求項２】
１個の資源ブロックの中の前記第１の資源要素または前記第２の資源要素は、資源要素の３つのペアを含み、各ペアの中の２個の資源要素は、時間領域で隣接しており、資源要素の２つの隣接するペアは、周波数領域で５個の副搬送波分隔てられている、請求項１の方法。
【請求項３】
前記第１の資源要素または前記第２の資源要素は、表
【表１】
0005607807.tif 000055
に示されるパターンを示し、ここで、ｋは、資源ブロックの中の副搬送波インデックスを表し、Ｉは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルインデックスを表し、Ｍは、０から５の整数を表し、Ｇ０は、前記第１の資源要素のうちの１個を表し、Ｇ１は、前記第２の資源要素のうちの１個を表す、請求項１の方法。
【請求項４】
前記直交シーケンスが、同じ副搬送波インデックスを有する２個または４個の資源要素の単位で前記参照信号に適用される、請求項１の方法。
【請求項５】
前記１個以上の資源ブロックが、ＰＤＳＣＨ（Ｐｈｙｓｉｃａｌ  Ｄｏｗｎｌｉｎｋ  Ｓｈａｒｅｄ  Ｃｈａｎｎｅｌ）に対して用いられる、請求項１の方法。
【請求項６】
無線通信システムにおいて参照信号を受信する方法であって、該方法は、
第１のセットのアンテナポートに対する参照信号を受信することであって、該第１のセットのアンテナポートに対する参照信号は、１個以上の資源ブロックの中の第１の資源要素にマッピングされている、ことと、
第２のセットのアンテナポートに対する参照信号を受信することであって、該第２のセットのアンテナポートに対する参照信号は、該１個以上の資源ブロックの中の第２の資源要素にマッピングされている、ことと
を含み、
直交シーケンスが、該第１の資源要素および該第２の資源要素にマッピングされた該参照信号に適用され、
該第１のセットのアンテナポートは、アンテナポート｛Ｎ、Ｎ＋１、Ｎ＋４、Ｎ＋６｝を含み、該第２のセットのアンテナポートは、アンテナポート｛Ｎ＋２、Ｎ＋３、Ｎ＋５、Ｎ＋７｝を含み、該アンテナポートＮ〜Ｎ＋７は、それぞれ、レイヤーＬ〜Ｌ＋７に対する参照信号を伝送するために用いられる、方法。
【請求項７】
１個の資源ブロックの中の前記第１の資源要素または前記第２の資源要素は、資源要素の３つのペアを含み、各ペアの中の２個の資源要素は、時間領域で隣接しており、資源要素の２つの隣接するペアは、周波数領域で５個の副搬送波分隔てられている、請求項６の方法。
【請求項８】
前記第１の資源要素または前記第２の資源要素は、表
【表２】
0005607807.tif 000056
に示されるパターンを示し、ここで、ｋは、資源ブロックの中の副搬送波インデックスを表し、Ｉは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルインデックスを表し、Ｍは、０から５の整数を表し、Ｇ０は、前記第１の資源要素のうちの１個を表し、Ｇ１は、前記第２の資源要素のうちの１個を表す、請求項６の方法。
【請求項９】
前記直交シーケンスが、同じ副搬送波インデックスを有する２個または４個の資源要素の単位で前記参照信号に適用される、請求項６の方法。
【請求項１０】
前記１個以上の資源ブロックが、ＰＤＳＣＨ（Ｐｈｙｓｉｃａｌ  Ｄｏｗｎｌｉｎｋ  Ｓｈａｒｅｄ  Ｃｈａｎｎｅｌ）に対して用いられる、請求項６の方法。
【請求項１１】
前記参照信号を用いて前記ＰＤＳＣＨを復調することをさらに含む、請求項１０の方法。
【請求項１２】
無線通信システムにおいて用いられる通信装置であって、該通信装置は、
ＲＦ（Ｒａｄｉｏ  Ｆｒｅｑｕｅｎｃｙ）ユニットと、
プロセッサと
を含み、
該プロセッサは、第１のセットのアンテナポートに対する参照信号を１個以上の資源ブロックの中の第１の資源要素にマッピングし、第２のセットのアンテナポートに対する参照信号を該１個以上の資源ブロックの中の第２の資源要素にマッピングするように構成されており、
直交シーケンスが、該第１の資源要素および該第２の資源要素にマッピングされた該参照信号に適用され、
該第１のセットのアンテナポートは、アンテナポート｛Ｎ、Ｎ＋１、Ｎ＋４、Ｎ＋６｝を含み、該第２のセットのアンテナポートは、アンテナポート｛Ｎ＋２、Ｎ＋３、Ｎ＋５、Ｎ＋７｝を含み、該アンテナポートＮ〜Ｎ＋７は、それぞれ、レイヤーＬ〜Ｌ＋７に対する参照信号を伝送するために用いられる、通信装置。
【請求項１３】
１個の資源ブロックの中の前記第１の資源要素または前記第２の資源要素は、資源要素の３つのペアを含み、各ペアの中の２個の資源要素は、時間領域で隣接しており、資源要素の２つの隣接するペアは、周波数領域で５個の副搬送波分隔てられている、請求項１２の通信装置。
【請求項１４】
前記第１の資源要素または前記第２の資源要素は、表
【表３】
0005607807.tif 000057
に示されるパターンを示し、ここで、ｋは、資源ブロックの中の副搬送波インデックスを表し、Ｉは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルインデックスを表し、Ｍは、０から５の整数を表し、Ｇ０は、前記第１の資源要素のうちの１個を表し、Ｇ１は、前記第２の資源要素のうちの１個を表す、請求項１２の通信装置。
【請求項１５】
前記直交シーケンスが、同じ副搬送波インデックスを有する２個または４個の資源要素の単位で前記参照信号に適用される、請求項１２の通信装置。
【請求項１６】
前記１個以上の資源ブロックが、ＰＤＳＣＨ（Ｐｈｙｓｉｃａｌ  Ｄｏｗｎｌｉｎｋ  Ｓｈａｒｅｄ  Ｃｈａｎｎｅｌ）に対して用いられる、請求項１２の通信装置。
【請求項１７】
無線通信システムにおいて用いられる通信装置であって、該通信装置は、
ＲＦ（Ｒａｄｉｏ  Ｆｒｅｑｕｅｎｃｙ）ユニットと、
プロセッサと
を含み、
該プロセッサは、第１のセットのアンテナポートに対する参照信号を受信するように構成されており、該第１のセットのアンテナポートに対する参照信号は、１個以上の資源ブロックの中の第１の資源要素にマッピングされており、該プロセッサは、第２のセットのアンテナポートに対する参照信号を受信するように構成されており、該第２のセットのアンテナポートに対する参照信号は、該１個以上の資源ブロックの中の第２の資源要素にマッピングされており、
直交シーケンスが、該第１の資源要素および該第２の資源要素にマッピングされた該参照信号に適用され、
該第１のセットのアンテナポートは、アンテナポート｛Ｎ、Ｎ＋１、Ｎ＋４、Ｎ＋６｝を含み、該第２のセットのアンテナポートは、アンテナポート｛Ｎ＋２、Ｎ＋３、Ｎ＋５、Ｎ＋７｝を含み、該アンテナポートＮ〜Ｎ＋７は、それぞれ、レイヤーＬ〜Ｌ＋７に対する参照信号を伝送するために用いられる、通信装置。
【請求項１８】
１個の資源ブロックの中の前記第１の資源要素または前記第２の資源要素は、資源要素の３つのペアを含み、各ペアの中の２個の資源要素は、時間領域で隣接しており、資源要素の２つの隣接するペアは、周波数領域で５個の副搬送波分隔てられている、請求項１７の通信装置。
【請求項１９】
前記第１の資源要素または前記第２の資源要素は、表
【表４】
0005607807.tif 000058
に示されるパターンを示し、ここで、ｋは、資源ブロックの中の副搬送波インデックスを表し、Ｉは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルインデックスを表し、Ｍは、０から５の整数を表し、Ｇ０は、前記第１の資源要素のうちの１個を表し、Ｇ１は、前記第２の資源要素のうちの１個を表す、請求項１７の通信装置。
【請求項２０】
前記直交シーケンスが、同じ副搬送波インデックスを有する２個または４個の資源要素の単位で前記参照信号に適用される、請求項１７の通信装置。
【請求項２１】
前記１個以上の資源ブロックが、ＰＤＳＣＨ（Ｐｈｙｓｉｃａｌ  Ｄｏｗｎｌｉｎｋ  Ｓｈａｒｅｄ  Ｃｈａｎｎｅｌ）に対して用いられる、請求項１７の通信装置。
【請求項２２】
前記プロセッサが、前記参照信号を用いて前記ＰＤＳＣＨを復調するようにさらに適合されている、請求項２１の通信装置。
【発明の詳細な説明】
【技術分野】
【０００１】
本発明は、無線通信システムに関するもので、具体的には、多重アンテナを用いて参照信号を伝送する方法及び装置に関するものである。
【背景技術】
【０００２】
無線通信システムは、音声やデータなどの多様な種類の通信サービスを提供するために広範囲に展開されている。一般に、無線通信システムは、可用なシステム資源（帯域幅、伝送パワーなど）を共有し、多重ユーザーとの通信をサポートできる多重接続システムである。多重接続システムの例としては、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ―ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システム、ＭＣ―ＦＤＭＡ（ｍｕｌｔｉ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。無線通信システムで、端末は、基地局からダウンリンクを通して情報を受信することができ、また、アップリンクを通して基地局に情報を伝送することができる。端末が伝送又は受信する情報としては、データ及び多様な制御情報があり、端末が伝送又は受信する情報の種類及び用途によって多様な物理チャンネルが存在する。
【０００３】
多重入出力（Ｍｕｌｔｉｐｌｅ  Ｉｎｐｕｔ  Ｍｕｌｔｉｐｌｅ  Ｏｕｔｐｕｔ；ＭＩＭＯ）技法は、基地局と端末機で２個以上の送受信アンテナを使用して空間的に多数のデータストリーム（又はレイヤー）を同時に伝送することによって、システム容量を増加させる方式をいう。ＭＩＭＯ技法は、送信ダイバーシティ、空間多重化又はビームフォーミングを含む。
【０００４】
送信ダイバーシティ技法は、多数の送信アンテナを介して同一のデータ情報を伝送することによって、受信機からのチャンネルと関連したフィードバック情報がなくても、信頼度の高いデータ伝送を具現できるという長所を有する。ビームフォーミングは、多数の送信アンテナにそれぞれ適切な加重値を掛けることによって受信機の受信ＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）を増加させるために使用され、一般に、ＦＤＤ（Ｆｒｅｑｕｅｎｃｙ  Ｄｉｖｉｓｉｏｎ  Ｄｕｐｌｅｘｉｎｇ）システムでアップリンク／ダウンリンクのチャンネルが独立的であるので、適切なビームフォーミング利得を得るためには信頼性の高いチャンネル情報が必要であり、その結果、受信機から別途のフィードバックを受けて使用する。
【０００５】
一方、空間多重化方式は、単一ユーザー及び多重ユーザーに対する空間多重化方式に区別することができる。単一ユーザーに対する空間多重化は、ＳＭ（Ｓｐａｔｉａｌ  Ｍｕｌｔｉｐｌｅｘｉｎｇ）又はＳＵ―ＭＩＭＯ（Ｓｉｎｇｌｅ  Ｕｓｅｒ  ＭＩＭＯ）と呼ばれ、一つのユーザー（端末）に基地局の複数のアンテナ資源を全て割り当てる方式であって、ＭＩＭＯチャンネルの容量はアンテナの数に比例して増加する。一方、多重ユーザーに対する空間多重化は、ＳＤＭＡ（Ｓｐａｔｉａｌ  Ｄｉｖｉｓｉｏｎａｌ  Ｍｕｌｔｉｐｌｅ  Ａｃｃｅｓｓ）又はＭＵ―ＭＩＭＯ（Ｍｕｌｔｉ―Ｕｓｅｒ  ＭＩＭＯ）と呼ばれ、多数のユーザー（端末）に基地局の複数のアンテナ資源又は無線空間資源を分配する方式である。
【０００６】
ＭＩＭＯ技法を使用する場合、同時に伝送されるＮ個のデータストリーム（又はレイヤー）を一つのチャンネルエンコーディングブロックを用いて伝送する単一コードワード（Ｓｉｎｇｌｅ  ＣｏｄｅＷｏｒｄ；ＳＣＷ）方式と、Ｎ個のデータストリームをＭ（Ｍ≦Ｎ）個のチャンネルエンコーディングブロックを用いて伝送する多重コードワード（Ｍｕｌｔｉｐｌｅ  ＣｏｄｅＷｏｒｄ；ＭＣＷ）方式とがある。このとき、各チャンネルエンコーディングブロックは、独立的なコードワード（ＣｏｄｅＷｏｒｄ；ＣＷ）を生成し、各コードワードは、独立的にエラーを検出できるように設計される。
【発明の概要】
【発明が解決しようとする課題】
【０００７】
本発明の目的は、無線通信システムで参照信号を伝送する方法及び装置を提供することにある。本発明の他の目的は、多重アンテナシステムで参照信号を伝送する方法及び装置を提供することにある。本発明の更に他の目的は、参照信号を多重化して伝送する方法及び装置を提供することにある。
【０００８】
本発明で達成しようとする各技術的課題は、上述した各技術的課題に制限されるものでなく、言及していない他の技術的課題は、下記の記載から本発明の属する技術分野で通常の知識を有する者に明確に理解されるだろう。
【課題を解決するための手段】
【０００９】
本発明の一様相で、無線通信システムで送信端が参照信号（Ｒｅｆｅｒｅｎｃｅ  Ｓｉｇｎａｌ；ＲＳ）を伝送する方法において、レイヤー別に定義されたＲＳ資源を確認すること；及び前記ＲＳ資源を用いて、レイヤーのためのプリコーディングされたＲＳを多重アンテナを介して受信端に伝送することを含み、前記ＲＳ資源は、資源ブロック内で前記のプリコーディングされたＲＳがマッピングされるＲＳ資源パターングループを指示する第１のインデックスと、前記のプリコーディングされたＲＳを前記ＲＳ資源パターングループ内に多重化するためのコード資源を指示する第２のインデックスとを含むＲＳ伝送方法が提供される。
【００１０】
本発明の他の様相で、無線信号を端末との間で送受信するように構成されたＲＦ（Ｒａｄｉｏ  Ｆｒｅｑｕｅｎｃｙ）ユニット；前記端末との間で送受信する情報及び基地局の動作に必要なパラメーターを格納するためのメモリ；及び前記ＲＦユニットと前記メモリに連結され、前記ＲＦユニットと前記メモリを制御するように構成されたプロセッサを含み、前記プロセッサは、レイヤー別に定義されたＲＳ資源を確認すること；及び前記ＲＳ資源を用いて、レイヤーのためのプリコーディングされたＲＳを多重アンテナを介して受信端に伝送することを含み、前記ＲＳ資源は、資源ブロック内で前記のプリコーディングされたＲＳがマッピングされるＲＳ資源パターングループを指示する第１のインデックスと、前記のプリコーディングされたＲＳを前記ＲＳ資源パターングループ内に多重化するためのコード資源を指示する第２のインデックスとを含むＲＳ伝送方法を行うように構成された基地局が提供される。
【００１１】
本発明の更に他の様相で、無線通信システムで受信端が参照信号（Ｒｅｆｅｒｅｎｃｅ  Ｓｉｇｎａｌ；ＲＳ）を処理する方法において、レイヤー別に定義されたＲＳ資源を確認すること；プリコーディングされたＲＳを多重アンテナを介して送信端から受信すること；及び前記ＲＳ資源を用いて前記のプリコーディングされたＲＳを検出することを含み、前記ＲＳ資源は、資源ブロック内で前記のプリコーディングされたＲＳがマッピングされるＲＳ資源パターングループを指示する第１のインデックスと、前記のプリコーディングされたＲＳを前記ＲＳ資源パターングループ内に多重化するためのコード資源を指示する第２のインデックスとを含むＲＳ処理方法が提供される。
【００１２】
本発明の更に他の様相で、無線信号を基地局との間で送受信するように構成されたＲＦ（Ｒａｄｉｏ  Ｆｒｅｑｕｅｎｃｙ）ユニット；前記基地局との間で送受信する情報及び端末の動作に必要なパラメーターを格納するためのメモリ；及び前記ＲＦユニットと前記メモリに連結され、前記ＲＦユニットと前記メモリを制御するように構成されたプロセッサを含み、前記プロセッサは、レイヤー別に定義されたＲＳ資源を確認すること；プリコーディングされたＲＳを多重アンテナを介して送信端から受信すること；及び前記ＲＳ資源を用いて前記のプリコーディングされたＲＳを検出することを含み、前記ＲＳ資源は、資源ブロック内で前記のプリコーディングされたＲＳがマッピングされるＲＳ資源パターングループを指示する第１のインデックスと、前記のプリコーディングされたＲＳを前記ＲＳ資源パターングループ内に多重化するためのコード資源を指示する第２のインデックスとを含むＲＳ処理方法を行うように構成された端末が提供される。
【００１３】
例示的に、それぞれのＲＳ資源パターングループは、前記資源ブロックの各スロットに位置した二つの隣接したＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルにＦＤＭ（Ｆｒｅｑｕｅｎｃｙ  Ｄｉｖｉｓｉｏｎ  Ｍｕｌｔｉｐｌｅｘｉｎｇ）方式で定義され、それぞれのＲＳ資源パターングループは、時間的に隣接した複数の資源要素ペアを含む。
【００１４】
例示的に、第１のインデックスが指示する資源パターンは、下記の表に示すようなパターンを含む。
【００１５】
【化１】
0005607807.tif 000002
前記表で、資源ブロックは、１２個の副搬送波＊１４個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、ｌは、ＯＦＤＭシンボルインデックスを示す０以上の整数で、ｋは、副搬送波インデックスを示す０以上の整数で、スロットは、７個のＯＦＤＭシンボルを含み、Ｇ０は、ＲＳ資源パターングループ＃０を示し、Ｇ１は、ＲＳ資源パターングループ＃１を示す。
【００１６】
例示的に、第２のインデックスは、時間領域でプリコーディングされたＲＳにカバーシーケンスとして使用されるコード資源を指示することができる。
【００１７】
例示的に、レイヤー別のＲＳ資源とレイヤーインデックス又はこれと関連した値間のマッピング関係は、第１のインデックスファースト（ｆｉｒｓｔ）方式に従うことができる。
【００１８】
例示的に、レイヤー別のＲＳ資源とレイヤーインデックス又はこれと関連した値間のマッピング関係は、ランク値が特定値より小さい場合は第１のインデックスファースト方式に従い、ランク値が特定値以上である場合は第２のインデックスファースト方式に従うことができる。
【００１９】
例示的に、ＲＳは、専用参照信号（Ｄｅｄｉｃａｔｅｄ  Ｒｅｆｅｒｅｎｃｅ  Ｓｉｇｎａｌ；ＤＲＳ）を含み、ＤＲＳ資源とレイヤーインデックスとの間のマッピング関係は、例えば、下記の表に示すようなパターンを含む。
【００２０】
【化２】
0005607807.tif 000003
前記表で、レイヤーインデックスは再整列することができる。
【００２１】
本発明では、基本的にレイヤーのＤＲＳのパターングループ及び符号として定義される資源にマッピングする関係について記述しているが、場合によっては、レイヤーでない仮想アンテナポート又はＲＳポートのＤＲＳパターングループ及び符号インデックスとして定義される資源にマッピングする関係に対する提案事項について記述することも可能である。このとき、本発明の全般で言及するレイヤー及びレイヤーインデックスは、後者の適用において仮想アンテナポート又はＲＳポート及び仮想アンテナポートインデックス又はＲＳポートインデックスに変換して表現可能であることを明示する。
（項目１）
無線通信システムで送信端が参照信号（Ｒｅｆｅｒｅｎｃｅ  Ｓｉｇｎａｌ；ＲＳ）を伝送する方法において、
レイヤー別に定義されたＲＳ資源を確認すること；及び
前記ＲＳ資源を用いて、前記レイヤーのためのプリコーディングされたＲＳを多重アンテナを介して受信端に伝送すること；を含み、
前記ＲＳ資源は、資源ブロック内で前記のプリコーディングされたＲＳがマッピングされるＲＳ資源パターングループを指示する第１のインデックスと、前記のプリコーディングされたＲＳを前記ＲＳ資源パターングループ内に多重化するためのコード資源を指示する第２のインデックスと、を含むＲＳ伝送方法。
（項目２）
それぞれのＲＳ資源パターングループは、前記資源ブロックの各スロットに位置した二つの隣接したＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルにＦＤＭ（Ｆｒｅｑｕｅｎｃｙ  Ｄｉｖｉｓｉｏｎ  Ｍｕｌｔｉｐｌｅｘｉｎｇ）方式で定義され、
それぞれのＲＳ資源パターングループは、時間的に隣接した複数の資源要素ペアを含むことを特徴とする、項目１に記載のＲＳ伝送方法。
（項目３）
前記第１のインデックスが指示する資源パターンは、下記の表に示す通りであることを特徴とする、項目１に記載のＲＳ伝送方法：
【化３】
0005607807.tif 000004
ここで、前記資源ブロックは、１２個の副搬送波＊１４個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、ｌは、ＯＦＤＭシンボルインデックスを示す０以上の整数であり、ｋは、副搬送波インデックスを示す０以上の整数であり、スロットは７個のＯＦＤＭシンボルを含み、Ｇ０はＲＳ資源パターングループ＃０を示し、Ｇ１はＲＳ資源パターングループ＃１を示す。
（項目４）
前記第２のインデックスは、時間領域で前記のプリコーディングされたＲＳにカバーシーケンスとして使用されるコード資源を指示することを特徴とする、項目１に記載のＲＳ伝送方法。
（項目５）
前記ＲＳ資源とレイヤーインデックス又はこれと関連した値間のマッピング関係は、第１のインデックスファースト方式に従うことを特徴とする、項目１に記載のＲＳ伝送方法。
（項目６）
前記ＲＳ資源とレイヤーインデックス又はこれと関連した値間のマッピング関係は、ランク値が特定値より小さい場合は第１のインデックスファースト方式に従い、前記ランク値が前記特定値以上である場合は第２のインデックスファースト方式に従うことを特徴とする、項目１に記載のＲＳ伝送方法。
（項目７）
前記ＲＳは、専用参照信号（Ｄｅｄｉｃａｔｅｄ  Ｒｅｆｅｒｅｎｃｅ  Ｓｉｇｎａｌ；ＤＲＳ）を含み、ＤＲＳ資源とレイヤーインデックスとの間のマッピング関係は、下記の表に示す通りであることを特徴とする、項目１に記載のＲＳ伝送方法：
【化４】
0005607807.tif 000005
ここで、レイヤーインデックスは再整列することができる。
（項目８）
無線信号を端末との間で送受信するように構成されたＲＦ（Ｒａｄｉｏ  Ｆｒｅｑｕｅｎｃｙ）ユニット；
前記端末との間で送受信する情報及び基地局の動作に必要なパラメーターを格納するためのメモリ；及び
前記ＲＦユニットと前記メモリに連結され、前記ＲＦユニットと前記メモリを制御するように構成されたプロセッサ；を含み、前記プロセッサは、
レイヤー別に定義されたＲＳ資源を確認すること；及び
前記ＲＳ資源を用いて、レイヤーのためのプリコーディングされたＲＳを多重アンテナを介して受信端に伝送すること；を含み、
前記ＲＳ資源は、資源ブロック内で前記のプリコーディングされたＲＳがマッピングされるＲＳ資源パターングループを指示する第１のインデックスと、前記のプリコーディングされたＲＳを前記ＲＳ資源パターングループ内に多重化するためのコード資源を指示する第２のインデックスと、を含むＲＳ伝送方法を行うように構成された基地局。
（項目９）
無線通信システムで受信端が参照信号（Ｒｅｆｅｒｅｎｃｅ  Ｓｉｇｎａｌ；ＲＳ）を処理する方法において、
レイヤー別に定義されたＲＳ資源を確認すること；
プリコーディングされたＲＳを多重アンテナを介して送信端から受信すること；及び
前記ＲＳ資源を用いて前記のプリコーディングされたＲＳを検出すること；を含み、
前記ＲＳ資源は、資源ブロック内で前記のプリコーディングされたＲＳがマッピングされるＲＳ資源パターングループを指示する第１のインデックスと、前記のプリコーディングされたＲＳを前記ＲＳ資源パターングループ内に多重化するためのコード資源を指示する第２のインデックスと、を含むＲＳ処理方法。
（項目１０）
前記第１のインデックスが指示する資源パターンは、下記の表に示す通りであることを特徴とする、項目９に記載のＲＳ処理方法：
【化５】
0005607807.tif 000006
ここで、前記資源ブロックは、１２個の副搬送波＊１４個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、ｌは、ＯＦＤＭシンボルインデックスを示す０以上の整数で、ｋは、副搬送波インデックスを示す０以上の整数で、スロットは７個のＯＦＤＭシンボルを含み、Ｇ０はＲＳ資源パターングループ＃０を示し、Ｇ１はＲＳ資源パターングループ＃１を示す。
（項目１１）
前記第２のインデックスは、時間領域で前記のプリコーディングされたＲＳにカバーシーケンスとして使用されるコード資源を指示することを特徴とする、項目９に記載のＲＳ処理方法。
（項目１２）
前記ＲＳ資源とレイヤーインデックス又はこれと関連した値間のマッピング関係は、第１のインデックスファースト方式に従うことを特徴とする、項目９に記載のＲＳ処理方法。
（項目１３）
前記ＲＳ資源とレイヤーインデックス又はこれと関連した値間のマッピング関係は、ランク値が特定値より小さい場合は第１のインデックスファースト方式に従い、前記ランク値が前記特定値以上である場合は第２のインデックスファースト方式に従うことを特徴とする、項目９に記載のＲＳ処理方法。
（項目１４）
前記ＲＳは、専用参照信号（Ｄｅｄｉｃａｔｅｄ  Ｒｅｆｅｒｅｎｃｅ  Ｓｉｇｎａｌ；ＤＲＳ）を含み、ＤＲＳ資源とレイヤーインデックスとの間のマッピング関係は、下記の表に示す通りであることを特徴とする、項目９に記載のＲＳ処理方法：
【化６】
0005607807.tif 000007
ここで、レイヤーインデックスは再整列することができる。
（項目１５）
無線信号を基地局との間で送受信するように構成されたＲＦ（Ｒａｄｉｏ  Ｆｒｅｑｕｅｎｃｙ）ユニット；
前記基地局との間で送受信する情報及び端末の動作に必要なパラメーターを格納するためのメモリ；及び
前記ＲＦユニットと前記メモリに連結され、前記ＲＦユニットと前記メモリを制御するように構成されたプロセッサ；を含み、前記プロセッサは、
レイヤー別に定義されたＲＳ資源を確認すること；
プリコーディングされたＲＳを多重アンテナを介して送信端から受信すること；及び
前記ＲＳ資源を用いて前記のプリコーディングされたＲＳを検出すること；を含み、
前記ＲＳ資源は、資源ブロック内で前記のプリコーディングされたＲＳがマッピングされるＲＳ資源パターングループを指示する第１のインデックスと、前記のプリコーディングされたＲＳを前記ＲＳ資源パターングループ内に多重化するためのコード資源を指示する第２のインデックスと、を含むＲＳ処理方法を行うように構成された端末。
【発明の効果】
【００２２】
本発明の各実施例によると、無線通信システムで参照信号を効率的に伝送することができる。また、多重アンテナシステムで参照信号を効率的に伝送することができる。また、参照信号を効率的に多重化して伝送することができる。
【００２３】
本発明で得られる効果は、以上言及した各効果に制限されるものではなく、言及していない他の効果は、下記の記載から本発明の属する技術分野で通常の知識を有する者に明確に理解されるだろう。
【図面の簡単な説明】
【００２４】
【図１】ＬＴＥシステムに使用される無線フレームの構造を例示する図である。
【図２】ダウンリンクスロットに対する資源グリッドを例示する図である。
【図３】ＬＴＥシステムに定義されたＲＳパターンを示す図である。
【図４】本発明の一実施例に係るＲＳパターングループを例示する図である。
【図５】本発明の一実施例によってＲＳパターングループ内にＲＳ信号を多重化する方案を例示する図である。
【図６】本発明の一実施例によってＲＳパターングループ内にＲＳ信号を多重化する方案を例示する図である。
【図７】本発明の一実施例に係るＲＳ伝送チャンネルを例示する図である。
【図８】本発明の一実施例に係るＲＳ資源とレイヤーインデックスとの間のマッピング関係を例示する図である。
【図９】本発明の一実施例に係る送信機のブロック図である。
【図１０】本発明の一実施例に係るコードワードとレイヤーとの間のマッピング関係を例示する図である。
【図１１】本発明の一実施例に係るコードワードとレイヤーとの間のマッピング関係を例示する図である。
【図１２】本発明の一実施例に係るコードワードとレイヤーとの間のマッピング関係を例示する図である。
【図１３】本発明の一実施例に係るコードワードとレイヤーとの間のマッピング関係を例示する図である。
【図１４】本発明の一実施例に係るコードワードとレイヤーとの間のマッピング関係を例示する図である。
【図１５】本発明の一実施例に係る受信機のブロック図である。
【図１６】本発明の一実施例に係る基地局及び端末のブロック図である。
【発明を実施するための形態】
【００２５】
添付の図面を参照して説明した本発明の各実施例によって本発明の構成、作用及び他の特徴を容易に理解することができる。本発明の各実施例は、ＣＤＭＡ、ＦＤＭＡ、ＴＤＭＡ、ＯＦＤＭＡ、ＳＣ―ＦＤＭＡ、ＭＣ―ＦＤＭＡなどの多様な無線接続技術に使用することができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００などの無線技術に具現することができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）などの無線技術に具現することができる。ＯＦＤＭＡは、ＩＥＥＥ  ８０２．１１（Ｗｉ―Ｆｉ）、ＩＥＥＥ  ８０２．１６（ＷｉＭＡＸ）、ＩＥＥＥ  ８０２．２０、Ｅ―ＵＴＲＡ（Ｅｖｏｌｖｅｄ  ＵＴＲＡ）などの無線技術に具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、Ｅ―ＵＴＲＡを使用するＥ―ＵＭＴＳ（Ｅｖｏｌｖｅｄ  ＵＭＴＳ）の一部である。ＬＴＥ―Ａ（Ａｄｖａｎｃｅｄ）は、３ＧＰＰ  ＬＴＥが進化したバージョンである。
【００２６】
以下の各実施例は、本発明の各技術的特徴が３ＧＰＰシステムに適用される場合を主に説明するが、これは例示に過ぎなく、本発明がこれに制限されることはない。
【００２７】
本発明では、ＬＴＥ―Ａを基盤にして記述しているが、本発明で提案する概念的な参照信号設計概念や提案方式及びこれらの各実施例は、他のＯＦＤＭ基盤のシステムにも適用可能である。
【００２８】
本発明で提案している各参照信号パターンは、ＬＴＥ―Ａシステムのダウンリンクで８個の送信アンテナを使用するＭＩＭＯ状況を主に記述しているが、提案する各ＲＳパターンは、一連のビームフォーミング又はダウンリンクＣｏＭＰ（Ｃｏｏｒｄｉｎａｔｅｄ  Ｍｕｌｔｉｐｌｅ  Ｐｏｉｎｔ）伝送に適用することができ、アップリンク上の前記のような伝送にも適用可能である。
【００２９】
また、説明の便宜上、本発明の実施例は、専用参照信号（Ｄｅｄｉｃａｔｅｄ  Ｒｅｆｅｒｅｎｃｅ  Ｓｉｇｎａｌ；ＤＲＳ）、復調用参照信号（Ｄｅｍｏｄｕｌａｔｉｏｎ  Ｒｅｆｅｒｅｎｃｅ  Ｓｉｇｎａｌ；ＤＭ―ＲＳ）又は端末―特定参照信号（ＵＥ―ｓｐｅｃｉｆｉｃ  Ｒｅｆｅｒｅｎｃｅ  Ｓｉｇｎａｌ）を主に説明しているが、それ以外の他の参照信号（例えば、共通参照信号（Ｃｏｍｍｏｎ  Ｒｅｆｅｒｅｎｃｅ  Ｓｉｇｎａｌ；ＣＲＳ）、セル―特定参照信号（Ｃｅｌｌ―ｓｐｅｃｉｆｉｃ  Ｒｅｆｅｒｅｎｃｅ  Ｓｉｇｎａｌ；ＣＲＳ）など）にも容易に変形して適用することができる。
【００３０】
図１は、ＬＴＥで使用される無線フレームの構造を例示する。
【００３１】
図１を参照すると、無線フレームは、１０ｍｓ（３２７２００＊Ｔｓ）の長さを有し、１０個の均等なサイズのサブフレームを含む。サブフレームは、１ｍｓの長さを有し、２個のスロットを含む。Ｔｓは、サンプリング時間を示し、Ｔｓ＝１／（１５ｋＨｚ＊２０４８）＝３．２５５２＊１０−８（約３３ｎｓ）に表示される。スロットは、時間領域で複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）（又はＳＣ―ＦＤＭＡ）シンボルを含み、周波数領域で複数の資源ブロック（Ｒｅｓｏｕｒｃｅ  Ｂｌｏｃｋ；ＲＢ）を含む。ＬＴＥシステムで、一つの資源ブロックは１２個の副搬送波＊７（６）個のＯＦＤＭ（又はＳＣ―ＦＤＭＡ）シンボルを含む。上述した無線フレームの構造は、例示に過ぎないもので、サブフレーム、スロット又はＯＦＤＭ（又はＳＣ―ＦＤＭＡ）シンボルの個数／長さは多様に変更可能である。
【００３２】
図２は、ダウンリンクスロットに対する資源グリッドを例示する。
【００３３】
図２を参照すると、ダウンリンクスロットは、時間領域で複数のＯＦＤＭシンボルを含み、周波数領域で多数の資源ブロックを含む。図２は、ダウンリンクスロットが７個のＯＦＤＭシンボルを含み、資源ブロックが１２個の副搬送波を含むことを例示しているが、これに制限されることはない。例えば、ダウンリンクスロットに含まれるＯＦＤＭシンボルの個数は、循環前置（Ｃｙｃｌｉｃ  Ｐｒｅｆｉｘ；ＣＰ）の長さによって変形可能である。資源グリッド上の各区切りを資源要素という。一つの資源ブロックは１２＊７（６）資源要素を含む。ダウンリンクスロットに含まれる資源ブロックの数ＮＤＬは、セルで設定されるダウンリンク伝送帯域幅に従属する。
【００３４】
ＬＴＥシステムでのダウンリンクサブフレームには、Ｌ１／Ｌ２制御領域とデータ領域がＴＤＭ方式で多重化される。Ｌ１／Ｌ２制御領域は、サブフレームごとに１〜３個のＯＦＤＭシンボルで構成され、残りのＯＦＤＭシンボルはデータ領域に使用される。Ｌ１／Ｌ２制御領域は、ダウンリンク制御情報を載せるためのＰＤＣＣＨ（Ｐｈｙｓｉｃａｌ  Ｄｏｗｎｌｉｎｋ  Ｃｏｎｔｒｏｌ  Ｃｈａｎｎｅｌ）を含み、データ領域は、ダウンリンクデータチャンネルであるＰＤＳＣＨ（Ｐｈｙｓｉｃａｌ  Ｄｏｗｎｌｉｎｋ  Ｓｈａｒｅｄ  Ｃｈａｎｎｅｌ）を含む。ダウンリンク信号を受信するために、端末は、ＰＤＣＣＨからダウンリンクスケジューリング情報を読み取り、ダウンリンクスケジューリング情報が指示する資源割り当て情報を用いてＰＤＳＣＨ上のダウンリンクデータを受信する。端末にスケジューリングされる資源（すなわち、ＰＤＳＣＨ）は、資源ブロック又は資源ブロックグループ単位で割り当てられる。
【００３５】
無線通信システムでパケットを伝送するとき、パケットが無線チャンネルを介して伝送されるので、伝送過程で信号の歪曲が発生するおそれがある。歪曲信号を受信側で正しく受信するためには、チャンネル情報を用いて受信信号の歪曲を補正しなければならない。チャンネル情報を知るために、送信側と受信側がいずれも知っている信号を伝送し、前記信号がチャンネルを介して受信されるときの歪曲程度を有してチャンネル情報を知る方法を主に使用する。前記信号をパイロット信号又は参照信号（Ｒｅｆｅｒｅｎｃｅ  Ｓｉｇｎａｌ；ＲＳ）という。
【００３６】
図３は、３ＧＰＰ  ＬＴＥダウンリンクＲＳの構造を示す。
【００３７】
既存のＬＴＥシステムは、ダウンリンクでセル―特定ＲＳ（Ｃｅｌｌ―ｓｐｅｃｉｆｉｃ  ＲＳ；ＣＲＳ）及び端末―特定ＲＳ（ＵＥ―ｓｐｅｃｉｆｉｃ  ＲＳ）を含む。セル―特定ＲＳは、全てのダウンリンクサブフレームを通して伝送される。ＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）サブフレームの場合は、１番目及び２番目のＯＦＤＭシンボルを通してのみＣＲＳが伝送される。ＣＲＳは、アンテナポート０〜３のうち少なくとも一つを用いて伝送される。端末―特定ＲＳは、ＰＤＳＣＨ（Ｐｈｙｓｉｃａｌ  Ｄｏｗｎｌｉｎｋ  Ｓｈａｒｅｄ  Ｃｈａｎｎｅｌ）の単一アンテナポート伝送をサポートし、アンテナポート５を通して伝送される。端末―特定ＲＳは、ＰＤＳＣＨ伝送が該当のアンテナポートと関連した場合のみに伝送され、ＰＤＳＣＨ復調のために使用される。端末―特定ＲＳは、該当のＰＤＳＣＨがマッピングされた資源ブロック上のみで伝送される。図３において、アンテナポート０〜３及び５に該当するＲＳがマッピングされるＲＥの位置をそれぞれ０〜３及び５に示した。図面において、ｌはＯＦＤＭシンボルインデックスを示し、ｋは副搬送波インデックスを示す。
【００３８】
アンテナポートの区分は物理的な区分ではなく、各論理アンテナ又は仮想アンテナインデックスを実際にどの物理アンテナにマッピングするかは、各製造社別の具現問題に該当する。アンテナポートと物理アンテナは、必ずしも１対１で対応する必要はなく、一つのアンテナポートが一つの物理アンテナ又は多数の物理アンテナの組み合わせであるアンテナアレイに対応することもできる。
【００３９】
ＬＴＥ―Ａシステムは、ＬＴＥの４個の送信アンテナに対して最大８個の送信アンテナを適用することによって、スループットの増加を図る。このとき、送信アンテナの増加によるＲＳオーバーヘッドを減少させるために、端末単位で定義されたり、端末に割り当てられる周波数領域で資源ブロック単位で定義される専用参照信号（Ｄｅｄｉｃａｔｅｄ  Ｒｅｆｅｒｅｎｃｅ  Ｓｉｇｎａｌ；ＤＲＳ）を使用することができる。ＤＲＳは、端末―特定復調参照信号（ＵＥ―ｓｐｅｃｉｆｉｃ  ｄｅｍｏｄｕｌａｔｉｏｎ  ｒｅｆｅｒｅｎｃｅ  ｓｉｇｎａｌ；ＤＭ―ＲＳ）と明示することができる。本発明で提案するＤＲＳはプリコーディングすることができ、この場合、ランク（レイヤー又は伝送ストリーム）の個数だけの互いに区別される直交した各パターンを使用することができる。もちろん、本発明で提案するＤＲＳはプリコーディングされないこともある。説明の便宜上、本発明で、プリコーディングされたＤＲＳはレイヤーＲＳ（ｌａｙｅｒ  Ｒｅｆｅｒｅｎｃｅ  Ｓｉｇｎａｌ）と混用される。
【００４０】
ＬＴＥとの逆方向及び順方向の互換をサポートして標準化のための努力を最小化し、多様な種類のアンテナ技術について一貫した参照信号を定義して再使用するという観点で、専用参照信号としては、図３のＬＴＥアンテナポート５の参照信号を使用することができる。
【００４１】
しかし、８個の送信アンテナを使用するＬＴＥ―Ａで最大ランク―８をサポートするためには、８個の区別される専用参照信号パターンをサポートしなければならない。しかし、一つのアンテナポート５参照信号パターン上でプリコーディングを使用したり、参照信号シーケンスにＣＤＭ、ＦＤＭ、ＴＤＭ又はこれらの組み合わせ形態の多重化方式を使用するとしても、十分な数（例えば、最大８個）の区別される各専用参照信号パターンを定義できないことがある。
【００４２】
このような問題を解決するために、時―周波数資源上で区別される更に他の一つの専用参照信号パターンを生成することができる。このとき、時―周波数資源上で区別されるＲＳパターンを別途のアンテナポートと定義することもできる。
【００４３】
既存のアンテナポート５のＲＳパターン又はこれとは異なる形態のＲＳパターンを、本発明ではＤＲＳパターングループ＃０と称し、時―周波数資源上で区分されるように定義される更に他のＲＳパターンをＤＲＳパターングループ＃１と定義する。ＤＲＳパターングループ＃１のＲＳパターンは、ＤＲＳパターングループ＃０のＲＳパターンと同一のパターンが伝送シンボル及び／又は周波数副搬送波（すなわち、資源要素）レベルでシフトされた形態を有することができる。
【００４４】
図４は、本発明の一実施例に係るＤＲＳパターングループを例示する。
【００４５】
図４を参照すると、一つの資源ブロック内でＤＲＳパターングループ＃０（Ｇ０）及びＤＲＳパターングループ＃１（Ｇ１）は多様な形態に設計することができる。図４は、一般のＣＰの場合の一つのＤＲＳパターングループ（図４（ａ））を例示しており、拡張ＣＰの場合の４個のＤＲＳパターングループ（図４（ｂ）〜図４（ｅ））を例示している。表１は、一般のＣＰの場合（図４（ａ））、１２副搬送波＊７ＯＦＤＭシンボルを含む資源ブロックでＤＲＳパターングループがマッピングされる位置のみを簡略に行列形態で示したものである。表２は、拡張ＣＰの場合（図４（ｂ））、１２副搬送波＊６ＯＦＤＭシンボルを含む資源ブロックでＤＲＳパターングループがマッピングされる位置のみを簡略に行列形態で示したものである。図４（ｃ）〜図４（ｅ）に示したＤＲＳパターングループも、表２のように資源ブロックに対応する行列形態で表示することができる。
【００４６】
【表１】
0005607807.tif 000008
【００４７】
【表２】
0005607807.tif 000009
前記表で、ｌは、ＯＦＤＭシンボルインデックスを示す０以上の整数で、ｋは、副搬送波インデックスを示す０以上の整数である。スロットは、一般のＣＰの場合は７個のＯＦＤＭシンボルを含み、拡張ＣＰの場合は６個のＯＦＤＭシンボルを含む。Ｇ０はＤＲＳパターングループ＃０を示し、Ｇ１はＤＲＳパターングループ＃１を示す。それぞれのＤＲＳパターングループは、例えば、最大４個のレイヤーＲＳを多重化することができる。
【００４８】
拡張ＣＰに対する他の一実施例として、１２個のＲＳ伝送副搬送波、すなわち、各ＲＥ（Ｒｅｓｏｕｒｃｅ  Ｅｌｅｍｅｎｔ）で構成される図４（ｂ）と表２とは異なるように、周波数選択的チャンネル状況でより正確なチャンネル推定のために増加した個数のＲＳ伝送副搬送波で構成されるＤＲＳパターングループ＃０とＤＲＳパターングループ＃１を適用することができる。一例として、１６個のＲＳ伝送ＲＥで個別的なＤＲＳパターングループを構成することができる。
【００４９】
ＬＴＥ―Ａで任意のランク値又はサポートしなければならない仮想アンテナポートの数（＝ランク値）に対応して区別されるべき直交ＤＲＳパターンの数をＮ（１以上の整数、例えば、１≦Ｎ≦８）とするとき、ＤＲＳパターングループ＃０（Ｇ０）を通してＭ（１≦Ｍ≦Ｎ）個の区別される各ＤＲＳパターンを多重化し、ＤＲＳパターングループ＃１（Ｇ１）を通してＮ−Ｍ個の区別されるＤＲＳパターンを多重化することができる。本多重化の特定状況によって任意のＤＲＳパターングループでシステムに適用される区別されるＤＲＳパターンがない場合、すなわち、Ｍ＝０である場合、ＤＲＳパターングループ＃０（Ｇ０）が資源ブロック上で定義されず、Ｍ＝Ｎの場合、ＤＲＳパターングループ＃１（Ｇ１）が資源ブロック上で定義されない。本明細書で、仮想アンテナポートはＲＳの観点でアンテナＲＳポートと称することができる。アンテナＲＳポートは、ＲＳ資源の論理アンテナインデックス又は仮想アンテナインデックスの意味を有することができ、この場合、ＲＳ資源は、特定インデックス領域のアンテナＲＳポートにマッピングして表現することができる。
【００５０】
本発明の全般的な技術において、基本的にレイヤーのＤＲＳのパターングループ及び符号として定義される資源にマッピングする関係について記述しているが、場合によっては、レイヤーでない仮想アンテナポート又はＲＳポートのＤＲＳパターングループ及び符号インデックスとして定義される資源にマッピングする関係に対する提案事項について記述することも可能である。このとき、本発明の全般で言及するレイヤー及びレイヤーインデックスは、後者の適用において仮想アンテナポート又はＲＳポート及び仮想アンテナポートインデックス又はＲＳポートインデックスに変換して表現可能であることを明示する。
【００５１】
図４は、ＤＲＳパターングループ＃０のＲＥの個数（Ａ）及びＤＲＳパターングループ＃１のＲＥの個数（Ｂ）が同一に１２個である場合を仮定している。しかし、これは例示であって、本発明の実施例では、ＤＲＳパターングループ＃０とＤＲＳパターングループ＃１を構成するＲＥの個数ＡとＢは、システム設計上の趣旨に合わせて同一の値に定義することを基本にするが、任意のランク値による個別レイヤーＲＳパターン又は個別レイヤー自体の重要度に基づいて他の値に定義することができる。また、上述したように、伝送ランクの設定によって特定ランク値を基準にして適用される固定された各ＲＥで構成されるＤＲＳパターングループの数が変わり得る。一例として、全てのオーバーヘッドを考慮し、全体のＤＲＳパターンは、ランク１〜２である場合は一つのＤＲＳパターングループが適用され、ＲＢ当たり１２個のＲＳ  ＲＥを含み、ランク３〜８である場合は二つのＤＲＳパターングループが適用され、ＲＢ当たり合計２４個のＲＳ  ＲＥを含むことができる。
【００５２】
それぞれのＤＲＳパターングループを別途の（仮想）アンテナポートにマッピングして定義することができる。例えば、ＤＲＳパターングループ＃０がアンテナポート５のＲＳパターンにそのまま従う場合は、ＤＲＳパターングループ＃０をアンテナポート５に設定し、ＤＲＳパターングループ＃１のＲＳパターンを別途のアンテナポート（例えば、アンテナポート６）に設定することができる。また、これと異なり、各アンテナポートの定義をより細分化し、ＲＳパターングループに属するそれぞれのＲＳ資源（パターン）を別途のアンテナポートと定義することができる。例えば、ＲＳパターングループ＃０に二つのＲＳ資源（パターン）がマッピングされ、ＲＳパターングループ＃１に二つのＲＳ資源（パターン）が設定される場合、４個の（仮想）アンテナポート又はＲＳポートを個別的にマッピングして定義することができる。
【００５３】
以下、本発明は、時間領域（例えば、ＯＦＤＭシンボル単位）及び周波数領域（例えば、副搬送波単位）で特徴づけられるＡ（例えば、１２）個のＲＥ（資源要素として副搬送波を意味する。）で構成されるＤＲＳパターングループ＃０とＢ（例えば、１２）個のＲＥで構成されるＤＲＳパターングループ＃１を通して該当のダウンリンクＭＩＭＯ伝送に対して指定される任意のランク値Ｃに基づいて合計Ｃ個のレイヤーに対するそれぞれの直交又は準―直交（ｑｕａｓｉ―ｏｒｔｈｏｇｏｎａｌ）ＲＳパターンをマッピング（これを多重化と表現することもできる。）する構成方案について提案する。個別的なＤＲＳパターングループ別に構成するＲＳ  ＲＥの個数ＡとＢは、均等なチャンネル推定性能を提供するために同一の値で構成することを基本にするが、特定ＤＲＳパターングループ、ＤＲＳ資源又はレイヤーに対する重要度に基づいて他の値に定義することもできる。
【００５４】
本発明で提案するレイヤー（又はＲＳポート）のＤＲＳ資源に対するマッピング又は多重化方案の趣旨は、任意のランク値によって個別レイヤーに対してマッピングされるＲＳ資源（パターン）が最大限変化しない方式の設計を基盤にする。ＳＵ―ＭＩＭＯ（Ｓｉｎｇｌｅ  Ｕｓｅｒ  ＭＩＭＯ）のみならず、ＭＵ―ＭＩＭＯ（Ｍｕｌｔｉ  Ｕｓｅｒ  ＭＩＭＯ）やＤＬ  ＣｏＭＰにも適用されるＲＳパターンを提供するためには、個別レイヤー別にＲＳポジション及びパターンが変化することを防止することが非常に重要である。これをランク独立的１対１レイヤー―ＲＳ資源マッピング（ｒａｎｋ―ｉｎｄｅｐｅｎｄｅｎｔ  ｏｎｅ―ｔｏ―ｏｎｅ  ｌａｙｅｒ―ｔｏ―ＲＳ  ｒｅｓｏｕｒｃｅ  ｍａｐｐｉｎｇ）と表現することができる。また、上述している別途の区分されるマッピング対象によってランク独立的１対１ＲＳポート―ＲＳ資源マッピング（ｒａｎｋ―ｉｎｄｅｐｅｎｄｅｎｔ  ｏｎｅ―ｔｏ―ｏｎｅ  ＲＳ  ｐｏｒｔ―ｔｏ―ＲＳ  ｒｅｓｏｕｒｃｅ  ｍａｐｐｉｎｇ）と表現することもできる。
【００５５】
このために、任意の設定される伝送ランク値Ｚによって、以下で本発明で表現しているレイヤーインデックスによって定義される伝送レイヤー別にマッピングされる各ＲＳ資源（パターン）のうちＺ個が可用な各ランク値に対して固定される順に選択されて適用される。例えば、伝送ランク値がＺに適用される場合、Ｚ個のレイヤーインデックスに対する各ＲＳ資源（パターン）をレイヤーインデックス＃０からレイヤーインデックス＃（Ｚ−１）まで順次適用することができる。
【００５６】
各ＤＲＳパターングループのＡ又はＢ個のＲＳ  ＲＥ上で一つ以上のレイヤーＲＳ資源（パターン）が多重化される基本方案としてＦＤＭ又はＣＤＭを考慮することができ、各ＤＲＳパターンの細部設計結果によってＴＤＭをさらに考慮することができる。もちろん、前記言及した多重化方式のうち二つ以上の方案が結合された形態の多重化細部方案も本発明の提案として含まれる。
【００５７】
各ＤＲＳパターングループ別にＡとＢ個のＲＳ  ＲＥの和をＤとするとき、Ｄ個のＲＳ  ＲＥを各ＤＲＳパターングループ別に多重化する方案において、基本的にＴＤＭ、ＦＤＭ又はＦＤＭ／ＴＤＭを使用して各物理資源ＲＥが互いに区分されるように多重化することを基本にする。場合によっては、ＣＤＭをＤＲＳパターングループ間のＲＳ物理資源を多重化する用途に適用することができる。
【００５８】
以下では、各ＤＲＳパターングループ＃０と＃１がＡ（例えば、１２）個のＲＥとＢ（例えば、１２）個のＲＥで構成される状況で、任意のランク値によって形成される各レイヤーのＲＳパターンが選択されたＤＲＳパターングループ上の各ＲＥにＣＤＭ形態で多重化される場合の細部的な提案をする。
【００５９】
ＣＤＭ基盤で任意のＤＲＳパターングループ上の各ＲＳ  ＲＥに対して個別ＤＲＳ資源（パターン）を定義するのに適用可能なコード資源としては、ＯＶＳＦ（Ｏｒｔｈｏｇｏｎａｌ  Ｖａｒｉａｂｌｅ  Ｓｐｒｅａｄｉｎｇ  Ｆａｃｔｏｒ）コード、ＤＦＴ（Ｄｉｓｃｒｅｔｅ  Ｆｏｕｒｉｅｒ  Ｔｒａｎｓｆｏｒｍ）基盤コード、ウォルシュ（Ｗａｌｓｈ）又はウォルシュ―アダマール（Ｗａｌｓｈ―Ｈａｄａｍａｒｄ）系列の直交符号列を含む。また、このようなコード資源は、ＣＡＺＡＣ系列のＧＣＬ（Ｇｅｎｅｒａｌｉｚｅｄ  Ｃｈｉｒｐ  Ｌｉｋｅ）シーケンス、ＣＧ―ＣＡＺＡＣ（Ｃｏｍｐｕｔｅｒ  Ｇｅｎｅｒａｔｅｄ  ＣＡＺＡＣ）又はＺＣ（Ｚｈａｄｏｆｆ―Ｃｈｕ）、ＺＣ―ＺＣＺ（Ｚａｄｏｆｆ―Ｃｈｕ  ｚｅｒｏ  ｃｏｒｒｅｌａｔｉｏｎ  ｚｏｎｅ）シーケンス上のサイクリックシフトを含む。また、このようなコード資源は、準―直交（ｑｕａｓｉ―ｏｒｔｈｏｇｏｎａｌ）系列のゴールドコード（Ｇｏｌｄ  ｃｏｄｅ）シーケンスやカサミ（Ｋａｓａｍｉ）シーケンスを初めとして、各ｍ―シーケンス（ｂｉｎａｒｙ）間のサイクリックシフトを含む。このようなコード資源は、個別ＤＲＳパターングループ上の各ＲＳ  ＲＥに対して時間領域又は周波数領域のみで１―次元に適用したり、時間領域及び周波数領域の両方で２―次元に適用することができる。このようなコード資源は、個別ＤＲＳパターングループ上の各ＲＳ  ＲＥに対して時間領域及び／又は周波数領域でカバーシーケンスとして使用することができる。
【００６０】
また、前記の任意の符号列を個別ＤＲＳパターングループ又は全体のＤＲＳパターングループに適用するにおいて、該当のＲＳ  ＲＥがあるＯＦＤＭシンボル上の周波数領域上の各ＲＥに適用することもでき、これと異なり、該当の全体（一つ以上のＤＲＳパターングループ上の）ＲＳ  ＲＥに対してシーケンスをマッピングすることもできる。
【００６１】
図５及び図６は、本発明の一実施例によってＤＲＳパターングループにマッピングされる各ＤＲＳ資源をＣＤＭ方式で多重化する例を示す。図５は、スロット単位でカバーシーケンスが使用された場合を示し、このために長さ２のカバーシーケンスを使用することができる（実線）。スロット別に長さ２のカバーシーケンスが適用されたことは、サブフレームの観点で長さ４のカバーシーケンスが適用されたことと解釈することができる（点線）。一例として、スロット０及び１にそれぞれ［１  −１］が適用されると仮定する場合、サブフレームに［１  −１  １  −１］が適用されたことと解釈することができる。図６は、サブフレーム単位でカバーシーケンスが使用された場合を示し、このために別途に定義された長さ４のカバーシーケンスを使用することができる。表３及び表４は、それぞれ長さ２及び４のカバーシーケンスがそれぞれのＤＲＳパターングループ（すなわち、Ｇ０及びＧ１）に適用された場合を示す。
【００６２】
【表３】
0005607807.tif 000010
【００６３】
【表４】
0005607807.tif 000011
前記表で、ｌ、ｋ、スロット、Ｇ０及びＧ１は、表１及び表２で定義したものと同一である。ｗ０、ｗ１、ｗ２及びｗ３は、カバーシーケンスの各エレメントを示す。［ｗ０  ｗ１］と［ｗ０＋  ｗ１＋］は、それぞれスロット０及びスロット１に適用されるカバーシーケンスを示し、長さ２のカバーシーケンスセットから独立的に選択される。
【００６４】
任意のＤＲＳパターングループのＣＤＭと定義されるＤＲＳ資源（パターン）の各直交カバーインデックスに対して、一部のインデックスを前記スロット単位長さ２の直交カバーシーケンスと定義し、一部のインデックスをサブフレーム単位長さ４の直交カバーシーケンスと定義することができる。表５は、長さ４及び２の直交カバーシーケンスを例示する。
【００６５】
【表５】
0005607807.tif 000012
表５で、シーケンスインデックスはコード資源インデックスに対応することができる。ただし、スロット単位でカバーシーケンスが適用される場合（すなわち、長さ２のカバーシーケンス）、コード資源インデックスはスロットごとに個別的に与えたり、スロット０とスロット１に適用されるシーケンスインデックスの組み合わせに対して与えることができる。一例として、表３で（［ｗ０  ｗ１］、［ｗ０＋  ｗ１＋］）の組み合わせに対して一つのコード資源インデックスを定義することができる。
【００６６】
表５は、例示に過ぎなく、ＣＡＺＡＣ系列のＧＣＬ（Ｇｅｎｅｒａｌｉｚｅｄ  Ｃｈｉｒｐ  Ｌｉｋｅ）シーケンス、ＣＧ―ＣＡＺＡＣ（Ｃｏｍｐｕｔｅｒ  Ｇｅｎｅｒａｔｅｄ  ＣＡＺＡＣ）又はＺｈａｄｏｆｆ―Ｃｈｕシーケンス上のサイクリックシフトの直交符号資源をカバーシーケンスとして使用することができる。また、準―直交（ｑｕａｓｉ―ｏｒｔｈｏｇｏｎａｌ）系列のゴールドコード（Ｇｏｌｄ  ｃｏｄｅ）シーケンスやカサミ（Ｋａｓａｍｉ）シーケンスを初めとして、各ｍ―シーケンス（ｂｉｎａｒｙ）のサイクリックシフトをカバーリングのための符号資源として使用することができる。
【００６７】
図５及び図６には示していないが、本発明に係るＤＲＳパターングループには、時間領域でのカバーシーケンスに加えて、周波数又は時間―周波数領域でスクランブリングを適用することができる。スクランブリングは、ＤＲＳパターングループでＯＦＤＭシンボル単位で適用したり、ＤＲＳパターングループに属する全体のＲＳ  ＲＥに対して適用することもできる。スクランブリングは、端末―特定（ＵＥ―ｓｐｅｃｉｆｉｃ）、端末グループ―特定（ＵＥ  ｇｒｏｕｐ―ｓｐｅｃｉｆｉｃ）、セル―特定（ｃｅｌｌ―ｓｐｅｃｉｆｉｃ）方式で適用することができる。ＯＶＳＦ（Ｏｒｔｈｏｇｏｎａｌ  Ｖａｒｉａｂｌｅ  Ｓｐｒｅａｄｉｎｇ  Ｆａｃｔｏｒ）コード、ＤＦＴ（Ｄｉｓｃｒｅｔｅ  Ｆｏｕｒｉｅｒ  Ｔｒａｎｓｆｏｒｍ）基盤コード、ウォルシュ（Ｗａｌｓｈ）又はウォルシュ―アダマール（Ｗａｌｓｈ―Ｈａｄａｍａｒｄ）系列の直交符号列をスクランブリングコードシーケンスとして使用することができる。また、ＣＡＺＡＣ系列のＧＣＬ（Ｇｅｎｅｒａｌｉｚｅｄ  Ｃｈｉｒｐ  Ｌｉｋｅ）シーケンス、ＣＧ―ＣＡＺＡＣ（Ｃｏｍｐｕｔｅｒ  Ｇｅｎｅｒａｔｅｄ  ＣＡＺＡＣ）、ＺＣ（Ｚｈａｄｏｆｆ―Ｃｈｕ）シーケンス、ＺＣ―ＺＣＺ（Ｚａｄｏｆｆ―Ｃｈｕ  ｚｅｒｏ  ｃｏｒｒｅｌａｔｉｏｎ  ｚｏｎｅ）上のサイクリックシフトをスクランブリングコードシーケンスとして使用することができる。また、準―直交（ｑｕａｓｉ―ｏｒｔｈｏｇｏｎａｌ）系列のゴールドコード（Ｇｏｌｄ  ｃｏｄｅ）シーケンスやカサミ（Ｋａｓａｍｉ）シーケンスを初めとして、各ｍ―シーケンス（ｂｉｎａｒｙ）のサイクリックシフトをスクランブリングコードシーケンスとして使用することができる。このようなスクランブリングに使用されるコードシーケンスは、適用目的に応じて本発明でのＣＤＭ方式の任意のＤＲＳパターングループ上の直交ＤＲＳ資源を区分して定義するコード資源と定義しないことを基本にする。すなわち、ＣＤＭコード資源区分のためのコードシーケンスとスクランブリングコードシーケンスは個別的に定義されて適用されることを基本にする。
【００６８】
図７は、本発明の一実施例によってＤＲＳを伝送するための物理チャンネルの構造を例示する。
【００６９】
図７を参照すると、各スロットは、データ伝送のためのシンボル及びＤＲＳのためのシンボル（Ｇ０／Ｇ１）を含む。Ｇ０／Ｇ１シンボル内でＤＲＳパターングループ＃０（Ｇ０）とＤＲＳパターングループ＃１（Ｇ１）がマッピングされる周波数資源は、図４で例示したようにＦＤＭで多重化することができる。前記実施例で記述されるＣＤＭ方式の任意のＤＲＳパターングループ上の直交ＤＲＳ資源（パターン）を構成する直交符号シーケンスの資源マッピング方法とは異なる方案を適用することができる。任意のＤＲＳパターングループ上の各ＲＳ  ＲＥに対してＣＤＭ方式の直交ＤＲＳ資源（パターン）を定義するために適用されるコードシーケンスの長さは、該当のＤＲＳパターングループに含まれるＲＳ  ＲＥの個数と同一に定義することができる。例えば、ＤＲＳパターングループのＲＥの数が１２個に設定される場合、ＲＳのためのシーケンスの長さは、それにしたがって１２に定義することができる。この場合、ＲＳのためのシーケンスは、ＤＲＳパターングループの含まれた全体のＲＳ  ＲＥにマッピングされる。一方、他の一例として、ＲＳのためのシーケンスの長さは、各ＤＲＳパターングループでそれぞれのＯＦＤＭシンボルに含まれるＲＳ  ＲＥの個数と同一に定義することができる。この場合、一つのＲＳシーケンスは、ＯＦＤＭシンボル内のＲＳ  ＲＥのみにマッピングされ、同一のＲＳシーケンスがＤＲＳパターングループのＯＦＤＭシンボルに繰り返してマッピングされる。
【００７０】
それぞれのＤＲＳパターングループ内で、複数のＤＲＳ資源（パターン）は時間領域及び／又は周波数領域でＣＤＭ方式で多重化される。例えば、ＣＤＭ方式は、時間拡散のための（準）直交コード（すなわち、カバーシーケンス）を用いて具現することができる。ＣＤＭのためのコード資源は、直交コード（例えば、ＯＶＳＦコード、ウォルシュ、ウォルシュ―アダマール系列のコード、ＤＦＴコード）を含む。また、ＣＤＭのためのコード資源は、ＣＡＺＡＣ系列のＧＣＬ（Ｇｅｎｅｒａｌｉｚｅｄ  Ｃｈｉｒｐ  Ｌｉｋｅ）シーケンス、ＣＧ―ＣＡＺＡＣ（Ｃｏｍｐｕｔｅｒ  Ｇｅｎｅｒａｔｅｄ  ＣＡＺＡＣ）シーケンス、ＺＣ（Ｚｈａｄｏｆｆ―Ｃｈｕ）シーケンス、ＺＣ―ＺＣＺ（Ｚａｄｏｆｆ―Ｃｈｕ  ｚｅｒｏ  ｃｏｒｒｅｌａｔｉｏｎ  ｚｏｎｅ）上のサイクリックシフトを含む。また、ＣＤＭのためのコード資源は、準―直交（ｑｕａｓｉ―ｏｒｔｈｏｇｏｎａｌ）系列のゴールドコード（Ｇｏｌｄ  ｃｏｄｅ）シーケンスやカサミ（Ｋａｓａｍｉ）シーケンスを初めとして、各ｍ―シーケンス（ｂｉｎａｒｙ）のサイクリックシフトを含む。ＲＳシーケンスに掛けられるカバーシーケンスは、スロット単位又はサブフレーム単位で適用することができる。カバーシーケンスがスロット単位で適用される場合、長さ２のカバーシーケンス（ｗ０，ｗ１）が使用され［図７（ａ）］、サブフレーム単位で適用される場合、長さ４のカバーシーケンス（ｗ０，ｗ１，ｗ２，ｗ３）が使用される［図７（ｂ）］。ＤＲＳがプリコーディングされない場合、ＲＳシーケンスは、時間領域でカバーシーケンスが掛けられた後、それぞれの物理アンテナのための物理資源にマッピングされる。一方、ＤＲＳがプリコーディングされる場合（すなわち、レイヤーＲＳ）、各ＤＲＳ  ＲＥに対して時間領域でカバーシーケンスが掛けられた後、プリコーディングによってそれぞれの物理アンテナのための物理資源にマッピングされる。
【００７１】
図８は、本発明の一実施例によってＤＲＳ資源（パターン）を割り当てる例を示す。本発明に係るＤＲＳ資源は、ＤＲＳパターングループインデックス及びコード資源インデックスを含むインデックスペアによって特定することができる。説明の便宜上、本実施例は、プリコーディングされたＤＲＳ（すなわち、レイヤーＲＳ）を仮定している。ＤＲＳがプリコーディングされない場合、図８のレイヤーインデックスは、物理アンテナに対応するもの（例えば、物理アンテナポート）に取り替えることができる。上述したように、レイヤーインデックスとは異なり、レイヤーインデックスは仮想アンテナポート、仮想アンテナポートインデックス、ＲＳポート又はＲＳポートインデックスに置換されて適用される場合を本発明で包括していることを明示する。説明の便宜上、以下では、上述した全ての場合を包括し、レイヤーインデックスの場合を基盤にして記述する。
【００７２】
図８を参照すると、プリコーディングが適用されるＤＲＳ上でのレイヤーＲＳのための資源（例えば、ＤＲＳパターングループインデックス及びコード資源インデックス）は、レイヤーインデックス又はこれと関連したパラメーター（例えば、（仮想）アンテナポートインデックス、アンテナポート又はＲＳポート）を用いて決定することができる。一例として、レイヤーインデックス又はレイヤーＲＳインデックスをレイヤーＲＳ資源にマッピングすることができる。他の例として、レイヤー又はレイヤーＲＳインデックスを（仮想）アンテナポートにマッピングし、（仮想）アンテナポートをレイヤーＲＳ資源にマッピングすることができる。レイヤーＲＳインデックスは、本発明の提案によってレイヤー別に定義されるＲＳの順序を指示する論理インデックスを示し、レイヤーインデックスに対応することができる。（仮想）アンテナポートのインデックスは、本発明で定義されるシステム又は伝送モード上での論理的順序を示すインデックスであって、既存の他の伝送モードに対する（仮想）アンテナポートのインデックスが既に決定されている場合、インデックス設定において一定値のオフセットを有することができる。レイヤーインデックスをアンテナＲＳポートに順次マッピングすることを基本的に考慮するとき、レイヤーＲＳとレイヤーＲＳ資源との間のマッピングは、アンテナＲＳポートとＲＳ資源との間のマッピングと同一の順序又は形態で定義することができる。これとは異なり、レイヤーインデックス、レイヤーＲＳインデックス及びアンテナＲＳポートにパーミュテーション（又は再整列）が適用される場合、レイヤー別のＲＳとレイヤーＲＳ資源との間のマッピング関係の順序は変更可能である。また、レイヤー別のＲＳとレイヤーＲＳ資源との間のマッピング時に別途のパラメーター（例えば、端末―特定（ＵＥ―ｓｐｅｃｉｆｉｃ）パラメーター）をさらに使用することができる（例えば、循環的オフセットとして使用）。
【００７３】
図８には示していないが、レイヤーＲＳにスクランブリングがさらに適用される場合、レイヤーＲＳ資源としてスクランブリングコード資源（インデックス）をさらに定義することができる。スクランブリングコード資源（インデックス）は、端末―特定（ＵＥ―ｓｐｅｃｉｆｉｃ）、端末グループ―特定（ＵＥ  ｇｒｏｕｐ―ｓｐｅｃｉｆｉｃ）、セル―特定（ｃｅｌｌ―ｓｐｅｃｉｆｉｃ）方式で定義することができる。
【００７４】
任意のランク値が与えられる場合、各個別レイヤーや（仮想）アンテナポートをＤＲＳパターンにマッピングする方式でＤＲＳパターングループインデックスファーストマッピング方式、コード資源インデックスファーストマッピング方式又はこれらのハイブリッド方式を考慮することができる。ＤＲＳパターングループインデックスファーストマッピング方式は、各個別レイヤーや（仮想）アンテナポートを、例えば、ＤＲＳパターングループ＃０及びＤＲＳパターングループ＃１に順次マッピングし、不足している場合、ＤＲＳパターングループ内でコード資源を変更する方式である。コード資源ファーストマッピング方式は、各個別レイヤーや（仮想）アンテナポートを、例えば、ＤＲＳパターングループ＃０の各ＤＲＳパターンに優先的にマッピングし、不足している場合、ＤＲＳパターングループ＃１の各ＤＲＳパターンにマッピングする方式である。また、ＤＲＳパターングループインデックスファーストマッピング方式、コード資源インデックスファーストマッピング方式はランク値によって混用可能である。
【００７５】
以下では、表を参照してレイヤー、レイヤーＲＳ、仮想アンテナポート、仮想アンテナポートインデックス、ＲＳポート又はＲＳポートインデックスをＤＲＳ資源にマッピングする方案を具体的に例示する。本発明で提案する方案によると、ランク値とは関係なく、各レイヤー別のＤＲＳパターングループが固定されて設定される。説明の便宜上、下記の表では、レイヤーインデックスをＤＲＳ資源にマッピングする例を示した。これは、例示であって、下記の表で、レイヤー又はレイヤーインデックスは、レイヤーＲＳ、レイヤーＲＳインデックス、仮想アンテナポート、仮想アンテナポートインデックス、ＲＳポート又はアンテナＲＳポートインデックスに変換して表現することができる。すなわち、本明細書に例示した表では、基本的にレイヤーのＤＲＳのパターングループ及び符号として定義される資源にマッピングする関係について記述しているが、場合によっては、レイヤーでない仮想アンテナポート又はＲＳポートのＤＲＳパターングループ及び符号インデックスとして定義される資源にマッピングする関係に対する提案事項について記述することも可能である。例えば、レイヤー（又はレイヤーＲＳ）をＤＲＳ資源にマッピングしたり、レイヤー（又はレイヤーＲＳ）をアンテナＲＳポートにマッピングした後、アンテナＲＳポートをＤＲＳ資源にマッピングすることができる。この場合、レイヤーインデックス（レイヤーＲＳインデックス）及び／又はアンテナＲＳポートには、再整列又はパーミュテーションを適用することができる。一例として、下の表で、レイヤーインデックスは０、１、２、３、４、５、６、７と記載されているが、前記記述している再整列後のレイヤーインデックスは、０、３、５、７、１、２、４、６のように順序を変えることができる。説明の便宜上、下記の表はランク８まで例示しているが、本発明で提案する方式は、より高いランク値を有するシステムにも同一／類似する形で拡張することができる。
【００７６】
以下の例では、各ＤＲＳパターングループのＲＥの数は全て１２個に設定することができ、ＲＳのためのコードシーケンスの長さは、それにしたがって１２に定義することができる。また、各ＤＲＳパターングループ別に異なるように合計８個のコード資源を定義することもでき（方案１）、４個のコード資源（すなわち、各ＤＲＳパターングループ別に同一のコード資源設定）を定義することもできる（方案２）。また、コード資源インデックス＃０はいずれも「１」で構成することができる。換言すると、任意のＤＲＳパターングループに一つのレイヤーＲＳパターンが設定される場合、コードを適用しないこともある。
【００７７】
【表６】
0005607807.tif 000013
提案（ｐｒｏｐｏｓａｌ）１．１―Ａは、レイヤーインデックスが２ずつ増加する度にＤＲＳパターングループが変更される場合を例示する。すなわち、レイヤーインデックスが０〜１である場合、ＤＲＳパターングループ＃０のみが使用され、不足した資源のために二つのコード資源インデックスが使用される。これと同様に、レイヤーインデックスが２〜３、４〜５及び６〜７である場合、それぞれＤＲＳパターングループ＃１、＃０及び＃１が順次適用される。
【００７８】
提案１．１―Ｂは、提案１．１―Ａの変形例を示す。提案１．１―Ｂは、提案１．１―Ａでレイヤーインデックスが再整列された場合と解釈することもできる。具体的に、提案１．１―Ｂの方案２は、提案１．１―Ａの方案２でレイヤーインデックス４、５、６、７が６、７、４、５に再整列された場合に該当する。
【００７９】
【表７】
0005607807.tif 000014
提案１．１―Ｃは、ＤＲＳパターングループインデックスファーストマッピング方式を例示する。すなわち、提案１．１―Ｃで、レイヤーインデックスはＤＲＳパターングループ＃０及びＤＲＳパターングループ＃１に順次マッピングされ、不足している場合、ＤＲＳパターングループ内でコード資源を変更する。
【００８０】
提案１．１―Ｄは、提案１．１―Ｃの変形例を示し、具体的に、レイヤーインデックス１とレイヤーインデックス２との間の境界を基準にして異なる形態のレイヤー（又はアンテナポート）とＲＳ資源とのマッピング方式を使用する例を示す。
【００８１】
提案１．１―Ｃと１．１―Ｄは、ランク２以上であり、ＤＲＳパターングループに２４ＲＥが使用される場合にも適用可能である。
【００８２】
【表８】
0005607807.tif 000015
提案１．１―Ｅ／１．１―Ｆは、提案１．１―Ａ／１．１―Ｂよりも高いレイヤーＲＳインデックス上でより均一に分布するための他の方案の一例を示す。
【００８３】
【表９】
0005607807.tif 000016
提案１．１―Ｇ／１．１―Ｈは、提案１．１―Ａ／１．１―Ｂよりも高いレイヤーＲＳインデックス上でより均一に分布するための他の方案の一例を示す。
【００８４】
本方案によると、レイヤー（又はＲＳポート）のＤＲＳ資源に対するマッピング又は多重化時に、任意のランク値によって個別レイヤーに対してマッピングされるＲＳ資源（パターン）が最大限変化しないようにすることができる。ランク値とは関係なく、各レイヤー別のＤＲＳパターングループが固定されて設定されるので、例えば、ランク独立的１対１レイヤー―ＲＳ資源マッピング（ｒａｎｋ―ｉｎｄｅｐｅｎｄｅｎｔ  ｏｎｅ―ｔｏ―ｏｎｅ  ｌａｙｅｒ―ｔｏ―ＲＳ  ｒｅｓｏｕｒｃｅ  ｍａｐｐｉｎｇ）又はランク独立的１対１ＲＳポート―ＲＳ資源マッピング（ｒａｎｋ―ｉｎｄｅｐｅｎｄｅｎｔ  ｏｎｅ―ｔｏ―ｏｎｅ  ＲＳ  ｐｏｒｔ―ｔｏ―ＲＳ  ｒｅｓｏｕｒｃｅ  ｍａｐｐｉｎｇ）が提供される。このようなランク独立的ＲＳ資源マッピング方式は、個別レイヤー別にＲＳポジション及びパターンが変化しないので、ＳＵ―ＭＩＭＯ（Ｓｉｎｇｌｅ  Ｕｓｅｒ  ＭＩＭＯ）のみならず、ＭＵ―ＭＩＭＯ（Ｍｕｌｔｉ  Ｕｓｅｒ  ＭＩＭＯ）やＤＬ  ＣｏＭＰにも適用されるＲＳパターンを提供することができる。
【００８５】
また、前記表は、基本的にレイヤーのＤＲＳのパターングループ及び符号として定義される資源にマッピングする関係について記述しているが、場合によっては、レイヤーでない仮想アンテナポート又はＲＳポートのＤＲＳパターングループ及び符号インデックスとして定義される資源にマッピングする関係に対する提案事項について記述することも可能である。すなわち、前記表で言及するレイヤー及びレイヤーインデックスは、仮想アンテナポート又はＲＳポート及び仮想アンテナポートインデックス又はＲＳポートインデックスに変換して表現可能であることを明示する。
【００８６】
【表１０】
0005607807.tif 000017
提案１．１―Ｉ／１．１―Ｊは、それぞれランク―４又はランク―６以下で、時―周波数ＤＭ―ＲＳ伝送のための時―周波数資源領域上の物理資源オーバーヘッドを制限するための多重化方案を例示する。
【００８７】
提案１．１―Ｊの場合、ランク―６まで一つのＤＲＳパターングループの時―周波数資源を有して６個のコード資源を生成するためには、時間上の伝送シンボル間の直交コードカバーでは不足しており、時―周波数領域で該当のＤＲＳパターングループの各ＲＳ物理資源の全体又は部分に対して該当長さのコード資源をＣＡＺＡＣシーケンス、ＤＦＴシーケンス、ＺＣ（Ｚａｒｄｏｆｆ―Ｃｈｕ）シーケンス、ＧＣＬ（ｇｅｎｅｒａｌ  ｃｈｉｒｐ―ｌｉｋｅ）シーケンス又はウォルシュシーケンスと定義することができる。
【００８８】
【表１１】
0005607807.tif 000018
提案１．１―Ｋ／１．１―Ｌは、低いレイヤーインデックスのＲＳでのレイヤー干渉を制限するための方案を例示する。
【００８９】
提案１．１―Ｋ／１．１―Ｌの場合、ＤＲＳパターングループ＃１は、６個のレイヤーＲＳパターンを提供している。一つのＤＲＳパターングループの時―周波数資源を有して６個のコード資源を生成するためには、時間上の伝送シンボル間の直交コードカバーでは不足しており、時―周波数領域で該当のＤＲＳパターングループの各ＲＳ物理資源の全体又は部分に対して該当の長さのコード資源をＣＡＺＡＣシーケンス、ＤＦＴシーケンス、ＺＣ（Ｚａｒｄｏｆｆ―Ｃｈｕ）シーケンス、ＧＣＬ（ｇｅｎｅｒａｌ  ｃｈｉｒｐ―ｌｉｋｅ）シーケンス又はウォルシュシーケンスと定義することができる。
【００９０】
次に、各ＤＲＳパターングループ＃０と＃１がＡ（例えば、１２）個のＲＥとＢ（例えば、１２）個のＲＥで構成される状況で、任意のランク値によって形成される各レイヤーのＲＳパターンが選択されたＤＲＳパターングループ上の各ＲＥにＦＤＭ、ＴＤＭ又はＦＤＭ／ＴＤＭ形態で多重化される場合の細部的な提案をする。
【００９１】
本発明で提案する方案によると、ランク値とは関係なく、各レイヤー別のＤＲＳパターングループが設定される。説明の便宜上、レイヤーインデックスをＤＲＳ資源にマッピングする例を示したが、下記の表で、レイヤーインデックスは、レイヤーＲＳインデックス又はアンテナＲＳポートに取り替えることができる。すなわち、レイヤー（又はレイヤーＲＳ）をＤＲＳ資源にマッピングしたり、レイヤー（又はレイヤーＲＳ）をアンテナＲＳポートにマッピングした後、アンテナＲＳポートをＤＲＳ資源にマッピングすることができる。この場合、レイヤーインデックス（レイヤーＲＳインデックス）及び／又はアンテナＲＳポートには、再整列又はパーミュテーションを適用することができる。説明の便宜上、下記の表は、ランク８まで例示しているが、本発明で提案する方式は、より高いランク値を有するシステムにも同一／類似する形で拡張することができる。
【００９２】
個別ＤＲＳパターン上で使用される各ＲＥ上の直交コード資源を定義するにおいて、全体のＲＥに対する一連の任意の形態の周波数分割、シンボル分割又は周波数／シンボル分割の形態で区分されて定義されることも本発明の提案で包括し、それぞれの分割されたＲＥをＲＳ資源インデックスとして識別する。
【００９３】
各ＤＲＳパターングループのＲＥの数は合計１２個に設定することができ、合計１２に定義される各ＲＥで生成される各ＤＲＳパターングループ別の各ＲＳ資源インデックスは、ＤＲＳパターングループ別に異なるＲＥパターンとして異なるように設定しながら異なるインデックスと定義することもでき（方案１）、同一のＲＥパターンと定義しながら同一のパターン間の同一のインデックスと定義することができる（方案２）。
【００９４】
【表１２】
0005607807.tif 000019
提案１．２―Ａは、レイヤーインデックスが２ずつ増加する度にＤＲＳパターングループが変更される場合を例示する。すなわち、レイヤーインデックスが０〜１である場合、ＤＲＳパターングループ＃０のみが使用され、不足した資源のために二つのＲＳパターンインデックスが使用される。これと同様に、レイヤーインデックスが２〜３、３〜４及び６〜７である場合、それぞれＤＲＳパターングループ＃１、＃０及び＃１が順次適用される。
【００９５】
提案１．２―Ｂは、提案１．２―Ａの変形例を示す。提案１．２―Ｂは、提案１．２―Ａでレイヤーインデックスが再整列された場合と解釈することもできる。具体的に、提案１．２―Ｂの方案２は、提案１．２―Ａの方案２でレイヤーインデックス４、５、６、７が６、７、４、５に再整列された場合に該当する。
【００９６】
【表１３】
0005607807.tif 000020
提案１．２―Ｃは、ＤＲＳパターングループインデックスファーストマッピング方式を例示する。すなわち、提案１．２―Ｃで、レイヤーインデックスは、ＤＲＳパターングループ＃０及びＤＲＳパターングループ＃１に順次マッピングされ、不足している場合、ＤＲＳパターングループ内でＲＳパターンインデックスが変更される。提案１．２―Ｄは、提案１．２―Ｃの変形例を示す。提案１．２―Ｃと１．２―Ｄは、ランク２以上であり、ＤＲＳパターングループに２４ＲＥが使用される場合にも適用可能である。
【００９７】
【表１４】
0005607807.tif 000021
提案１．２―Ｅ／１．２―Ｆは、提案１．２―Ａ／１．２―Ｂよりも高いレイヤーＲＳインデックス上でより均一に分布するための他の方案の一例を示す。
【００９８】
次に、各ＤＲＳパターングループ＃０と＃１がＡ（例えば、１２）個のＲＥとＢ（例えば、１２）個のＲＥで構成される状況で、任意のランク値によって形成される各レイヤーのＲＳパターンが該当のＤＲＳパターングループ上の各ＲＥにＦＤＭ、ＴＤＭ又はＦＤＭ／ＴＤＭ形態で多重化される場合の細部的な提案をする。
【００９９】
個別ＤＲＳパターン上に使用される各ＲＥ上の直交コード資源を定義するにおいて、全体のＲＥに対する一連の任意の形態の周波数分割、シンボル分割又は周波数／シンボル分割の形態に区分されて定義されることも本発明の提案で包括し、それぞれの分割された各ＲＥをＲＳパターンインデックスと識別する。このとき、提案＃１．２の場合と同様に、任意のＤＲＳパターングループの全体のＲＥは、最大に多重化されるレイヤーインデックスの個数だけ分割することもできるが、ＣＤＭの付加的な多重化を考慮し、これより少ない個数に分割することができる。
【０１００】
個別ＤＲＳパターン上に使用される各ＲＥ上の直交コード資源を定義するにおいて、周波数領域ＲＥ上のウォルシュ又はウォルシュ―アダマール系列の直交符号列を初めとして、各ＯＦＤＭシンボル上の各ＲＥに対するウォルシュカバーリングを使用することもでき、ＣＡＺＡＣ系列のＧＣＬ又はＺｈａｄｏｆｆ―Ｃｈｕシーケンス上のサイクリックシフトの直交符号資源割り当てを適用することができる。これに加えて、準―直交系列のゴールドコード（Ｇｏｌｄ  ｃｏｄｅ）シーケンス、カサミ（Ｋａｓａｍｉ）シーケンス又は各ｍ―シーケンス（ｂｉｎａｒｙ）のサイクリックシフトを符号資源として使用することができる。また、前記の任意の符号列を個別ＤＲＳパターングループ又は全体のＤＲＳパターングループに適用するにおいて、該当のＲＥがあるＯＦＤＭシンボル上の周波数領域上のＲＥに適用することもでき、該当の全体（一つ以上のＤＲＳパターングループ上の）の各ＲＥに対してシーケンスをマッピングすることもできる。これと異なり、任意のＤＲＳパターングループの全体のＲＥに対するＦＤＭ、ＴＤＭ又はＦＤＭ／ＴＤＭ形態の分割された一部のＲＥに合わせてシーケンスを生成してマッピングすることもできる。本方式の資源割り当てを適用するとき、個別コード資源をコード資源インデックスと定義する。
【０１０１】
各個別レイヤーの任意の特定ＲＳパターン及び／又はコード資源へのマッピングは、時間―ファースト、周波数―ファースト又はコード―ファースト方式でマッピングすることができる。３個の資源領域で多重化方式で構成される場合、時間―周波数―コード、時間―コード―周波数、周波数―時間―コード、周波数―コード―時間、コード―時間―周波数又はコード―周波数―時間の順にマッピングすることができる。
【０１０２】
以下では、表を参照して、レイヤーをＤＲＳ資源にマッピングする方案を具体的に例示する。本発明で提案する方案によると、ランク値とは関係なく、各レイヤー別のＤＲＳパターングループが設定される。説明の便宜上、下記の表で、レイヤーインデックスは、レイヤーＲＳインデックス又はアンテナＲＳポートに取り替えることができる。すなわち、レイヤー（又はレイヤーＲＳ）をＤＲＳ資源にマッピングしたり、レイヤー（又はレイヤーＲＳ）をアンテナＲＳポートにマッピングした後、アンテナＲＳポートをＤＲＳ資源にマッピングすることができる。この場合、レイヤーインデックス（レイヤーＲＳインデックス）及び／又はアンテナＲＳポートには再整列又はパーミュテーションを適用することができる。説明の便宜上、下記の表は、ランク８まで例示しているが、本発明で提案する方式は、より高いランク値を有するシステムにも同一／類似する形で拡張することができる。
【０１０３】
下記の表で、各ＤＲＳパターングループのＲＥの数は、合計１２個に設定することができ、合計１２個に定義される各ＲＥ内で生成される各ＲＳパターンインデックスは、ＤＲＳパターングループ別に異なるＲＥパターンに設定しながら異なるインデックスと定義することもでき（方案１）、同一のＲＥパターンと定義しながら同一のパターン間の同一のインデックスと定義することができる（方案２）。
【０１０４】
下記の表で、各ＤＲＳパターングループのＲＥの数は、合計１２個に設定することができ、コードシーケンスの長さを１２に定義することができる。これと異なり、任意のＤＲＳパターングループの全体のＲＥに対するＦＤＭ、ＴＤＭ又はＦＤＭ／ＴＤＭ形態の分割された一部のＲＥに合わせてシーケンスを生成してマッピングすることもできる。各ＤＲＳパターングループ別に異なるように任意の個数（任意のＤＲＳパターングループ上で要求されたり可能な個数だけ定義される。）のコード資源を定義することもでき（方案ａ）、各ＤＲＳパターングループ別に同一のコード資源設定（任意のＤＲＳパターングループ上で要求されたり可能な個数だけ定義される。）を定義することもできる（方案ｂ）。コード資源インデックス＃０は、いずれも「１」で構成することができる。換言すると、ＤＲＳパターングループに一つのレイヤーＲＳパターンが設定される場合、直交符号を適用しないこともある。
【０１０５】
【表１５】
0005607807.tif 000022
提案１．３―Ａは、レイヤーインデックスが２ずつ増加する度にＤＲＳパターングループが変更される場合を例示する。すなわち、レイヤーインデックスが０〜１及び４〜５である場合、ＤＲＳパターングループ＃０のみが使用され、不足した資源のために二つのＲＳパターンインデックス及び／又は二つのコード資源インデックスが使用される。これと同様に、レイヤーインデックスが２〜３及び６〜７である場合、それぞれＤＲＳパターングループ＃１のみが適用される。
【０１０６】
提案１．３―Ｂは、提案１．３―Ａの変形例を示す。提案１．３―Ｂは、提案１．３―Ａでレイヤーインデックスが再整列された場合と解釈することもできる。具体的に、提案１．３―Ｂの方案２―ｂは、提案１．３―Ａの方案２―Ｂでレイヤーインデックス４、５、６、７が６、７、４、５に再整列された場合に該当する。
【０１０７】
【表１６】
0005607807.tif 000023
【０１０８】
【表１７】
0005607807.tif 000024
【０１０９】
【表１８】
0005607807.tif 000025
次に、各ＤＲＳパターングループ＃０と＃１がＡ（例えば、１２）個のＲＥとＢ（例えば、１２）個のＲＥで構成される状況で、任意のランク値によって形成される各レイヤーのＲＳパターンが該当のＤＲＳパターングループ上の各ＲＥに２―Ｄ（Ｄｉｍｅｎｓｉｏｎ）ＣＤＭ形態で多重化される場合の細部的な提案をする。具体的に、ＤＲＳパターングループ上の各ＲＥに対して１番目のコード資源を時間領域で適用し、２番目のコード資源を周波数領域で適用することができる。コード資源が適用される時間領域及び周波数領域の順序は変わり得る。例えば、ＤＲＳパターングループ上の各ＲＥに対して１番目のコード資源を時間領域でカバーシーケンスとして使用し、２番目のコード資源を周波数領域でスクランブリングコード資源として使用することができ、これと反対の場合も可能である。一方、ＯＦＤＭシンボルインデックスの順序に対して順方向又は逆方向のコードインデックスマッピングが可能である。これは、パンクチャリング（ｐｕｎｃｔｕｒｉｎｇ）される状況でもパターン直交性が壊れないように、全てが「１」エレメントを有するシンボルがパンクチャリングされないようにマッピングする過程で考慮することができる。
【０１１０】
個別ＤＲＳパターン上の各ＲＥに使用されるコード資源は、ＯＶＳＦ（Ｏｒｔｈｏｇｏｎａｌ  Ｖａｒｉａｂｌｅ  Ｓｐｒｅａｄｉｎｇ  Ｆａｃｔｏｒ）コード、ＤＦＴ（Ｄｉｓｃｒｅｔｅ  Ｆｏｕｒｉｅｒ  Ｔｒａｎｓｆｏｒｍ）基盤コード、ウォルシュ（Ｗａｌｓｈ）又はウォルシュ―アダマール（Ｗａｌｓｈ―Ｈａｄａｍａｒｄ）系列の直交符号列を含む。また、このようなコード資源は、ＣＡＺＡＣ系列のＧＣＬ（Ｇｅｎｅｒａｌｉｚｅｄ  Ｃｈｉｒｐ  Ｌｉｋｅ）シーケンス、ＣＧ―ＣＡＺＡＣ（Ｃｏｍｐｕｔｅｒ  Ｇｅｎｅｒａｔｅｄ  ＣＡＺＡＣ）、ＺＣ（Ｚｈａｄｏｆｆ―Ｃｈｕ）又はＺＣ―ＺＣＺ（Ｚａｄｏｆｆ―Ｃｈｕ  ｚｅｒｏ  ｃｏｒｒｅｌａｔｉｏｎｚｏｎｅ）シーケンス上のサイクリックシフトを含む。また、このようなコード資源は、準―直交（ｑｕａｓｉ―ｏｒｔｈｏｇｏｎａｌ）系列のゴールドコード（Ｇｏｌｄ  ｃｏｄｅ）シーケンスやカサミ（Ｋａｓａｍｉ）シーケンスを初めとして、各ｍ―シーケンス（ｂｉｎａｒｙ）のサイクリックシフトを含む。
【０１１１】
これに制限されることはないが、２―Ｄ  ＣＤＭのための１番目のコード資源は、時間領域で適用される直交シーケンスカバー（例えば、ウォルシュカバー）を含む。ウォルシュカバーは、例えば、同一のＤＲＳパターングループ内で隣接した二つのＯＦＤＭシンボルのＲＥペアに適用される｛１，１｝又は｛１，−１｝を含む。ＤＲＳパターングループ内で３個のＯＦＤＭシンボルが隣接した場合、長さ３のＤＦＴ―基盤ウォルシュカバーを使用することができる。この場合、３個の長さ３のウォルシュカバーのうち２個を使用することができる。また、２―ＤＣＤＭのための２番目のコード資源は、同一のＤＲＳパターングループ内で一つのＯＦＤＭシンボル内の各ＲＥに適用されるサイクリックシフトシーケンスを含む。例えば、２番目のコード資源は、ＣＡＺＡＣ、ＺＣ、ＺＣＺ、ゴールドコード、カサミシーケンス、ｍ―シーケンスのサイクリックシフトを含む。
【０１１２】
以下では、表を参照して、レイヤー又は（仮想）アンテナポートをＤＲＳ資源にマッピングする方案を具体的に例示する。本発明で提案する方案によると、ランク値とは関係なく、各レイヤー別のＤＲＳパターングループが設定される。説明の便宜上、下記の表では、レイヤーインデックスをＤＲＳ資源にマッピングする例を示した。これは、例示であって、下記の表でレイヤーインデックスをレイヤーＲＳインデックス又はアンテナＲＳポートに取り替えることができる。すなわち、レイヤー（又はレイヤーＲＳ）をＤＲＳ資源にマッピングしたり、レイヤー（又はレイヤーＲＳ）をアンテナＲＳポートにマッピングした後、アンテナＲＳポートをＤＲＳ資源にマッピングすることができる。この場合、レイヤーインデックス（レイヤーＲＳインデックス）及び／又はアンテナＲＳポートには再整列又はパーミュテーションを適用することができる。説明の便宜上、下記の表はランク８まで例示しているが、本発明で提案する方式は、より高いランク値を有するシステムにも同一／類似する形で拡張することができる。
【０１１３】
以下で提案する提案＃２．１〜＃２．２５のレイヤーＲＳパターンは、ランク―８まで導出される個別レイヤーＲＳ別の資源多重化方式を記述したものである。任意のランク値が与えられる場合、提案＃２．１〜＃２．２５は、該当のランク値に対して導出されるレイヤーＲＳインデックスまでの多重化パターンと理解することができる。すなわち、ランク値とは関係なく、同一のレイヤーＲＳパターン、すなわち、同一のレイヤーＲＳマッピングを適用することができる。
【０１１４】
下記の表で、ＤＲＳパターングループ、ＷＣ（Ｗａｌｓｈ  Ｃｏｖｅｒ）インデックス、ＣＳ（Ｃｙｃｌｉｃ  Ｓｈｉｆｔ）インデックスの順序は、説明の便宜上、区分のために記述したもので、このようなインデックス順序を実際に物理ＲＥ（又は物理ＲＥパターン）資源、コード資源のインデックスにそのまま適用することもでき、任意にマッピングすることもできる。
【０１１５】
以下の提案＃２．１〜＃２．２５のうち一つ以上の提案上で任意の提案に記述されている全体のレイヤーＲＳ別の多重化パターンのうち一つ以上のパターンを組み合わせ、全体のレイヤーＲＳパターンを再構成することができる。このような過程を通して導出可能な全ての方案も本発明の提案として含む。
【０１１６】
提案＃２．１〜＃２．２５で例示したＲＳ資源は、次に示す通りである。
【０１１７】
―ＷＣ（Ｗａｓｈ  ｃｏｖｅｒ）インデックス＃０、＃１（例えば、ＷＣ＃０：｛１，１｝、ＷＣ＃１：｛１，−１｝）
―ＣＳ（サイクリックシフト）インデックス＃０、＃１
―ＤＲＳパターングループインデックス＃０、＃１
ケースＡは、ＷＣが先にマッピングされ、その後にＣＳがマッピングされる場合を示す。
【０１１８】
ケースＡは、ＣＳが先にマッピングされ、その後にＷＣがマッピングされる場合を示す。
【０１１９】
これに制限されることはないが、下記の表で、ＷＣインデックスはカバーシーケンス資源として使用し、ＣＳインデックスはスクランブリングコード資源として使用することができ、その反対の場合も可能である。
【０１２０】
【表１９】
0005607807.tif 000026
提案２．１―Ａは、レイヤーインデックスの増加によってＷＣインデックス＝＞ＤＲＳパターングループインデックス＝＞ＣＳインデックスの順にＲＳ資源がマッピングされる場合を例示する。
【０１２１】
提案２．１―Ｂは、レイヤーインデックスの増加によってＣＳインデックス＝＞ＤＲＳパターングループインデックス＝＞ＷＣインデックスの順にＲＳ資源がマッピングされる場合を示す。
【０１２２】
【表２０】
0005607807.tif 000027
提案２．２―Ａは、提案２．１―Ａの変形例を示す。提案２．２―Ａは、提案２．１―Ａでレイヤーインデックスが再整列された場合と解釈することもできる。具体的に、提案２．２―Ａは、提案２．１―Ａでレイヤーインデックス４、５、６、７が６、７、４、５に再整列された場合に該当する。
【０１２３】
提案２．２―Ｂは、提案２．１―Ｂの変形例を示す。提案２．２―Ｂは、提案２．１―Ｂでレイヤーインデックスが再整列された場合と解釈することもできる。具体的に、提案２．２―Ｂは、提案２．１―Ｂでレイヤーインデックス４、５、６、７が６、７、４、５に再整列された場合に該当する。
【０１２４】
【表２１】
0005607807.tif 000028
提案２．３―Ａは、レイヤーインデックスの増加によってＷＣインデックス＝＞ＣＳインデックス＝＞ＤＲＳパターングループインデックスの順にＲＳ資源がマッピングされる場合を例示する。
【０１２５】
提案２．３―Ｂは、レイヤーインデックスの増加によってＣＳインデックス＝＞ＷＣインデックス＝＞ＤＲＳパターングループインデックスの順にＲＳ資源がマッピングされる場合を示す。
【０１２６】
【表２２】
0005607807.tif 000029
提案２．４は、提案２．１で４個のサイクリックシフトコード資源を使用するモデルを例示する（ＷＣ基盤コード多重化なし）。
【０１２７】
提案２．５は、提案２．２で４個のサイクリックシフトコード資源を使用するモデルを例示する（ＷＣ基盤コード多重化なし）。
【０１２８】
【表２３】
0005607807.tif 000030
提案２．６は、提案２．１で４個のサイクリックシフトコード資源を使用するモデルを例示する（すなわち、２個のＷＣ基盤コード多重化）。
【０１２９】
提案２．７は、提案２．１で４個のサイクリックシフトコード資源を使用するモデルを例示する（すなわち、２個のＷＣ基盤コード多重化）。
【０１３０】
【表２４】
0005607807.tif 000031
提案２．８は、提案２．２で４個のサイクリックシフトコード資源を使用するモデルを例示する（すなわち、２個のＷＣ基盤コード多重化）。
【０１３１】
提案２．９は、提案２．２で４個のサイクリックシフトコード資源を使用するモデルを例示する（すなわち、２個のＷＣ基盤コード多重化）。
【０１３２】
【表２５】
0005607807.tif 000032
提案２．１０は、提案２．１で３個のウォルシュカバー及び２個のサイクリックシフトコード資源を使用するモデルを例示する。
【０１３３】
提案２．１１は、提案２．２で３個のウォルシュカバー及び２個のサイクリックシフトコード資源を使用するモデルを例示する。
【０１３４】
【表２６】
0005607807.tif 000033
提案２．１２は、ＤＲＳパターングループ上への不均一なレイヤーＲＳパターンマッピング、４個のサイクリックシフトコード資源及び２個のＷＣコード資源を使用するモデルを例示する。
【０１３５】
提案２．１３は、ＤＲＳパターングループ上への不均一なレイヤーＲＳパターンマッピング、４個のサイクリックシフトコード資源及び２個のＷＣコード資源を使用するモデルを例示する（提案２．１２に比べて、レイヤー６及び７ＲＳパターンで異なるＷＣを使用）。
【０１３６】
【表２７】
0005607807.tif 000034
提案２．１４は、ＤＲＳパターングループ上への不均一なレイヤーＲＳパターンマッピング、３個のウォルシュカバー及び２個のサイクリックシフトコード資源を使用するモデルを例示する。
【０１３７】
提案２．１５は、パターングループ上への不均一なレイヤーＲＳパターンマッピング、３個のウォルシュカバー及び２個のサイクリックシフトコード資源を使用する他のモデルを例示する（提案２．１４に比べて、レイヤー６及び７ＲＳパターンで異なるＣＳを使用）。
【０１３８】
【表２８】
0005607807.tif 000035
提案２．１６は、ＤＲＳパターングループ上への不均一なレイヤーＲＳパターンマッピング、３個のウォルシュカバー及び２個のサイクリックシフトコード資源を使用するモデルを例示する。
【０１３９】
提案２．１７は、ＤＲＳパターングループ上への不均一なレイヤーＲＳパターンマッピング、３個のウォルシュカバー及び２個のサイクリックシフトコード資源を使用する他のモデルを例示する（提案２．１４に比べて、レイヤー０及び１ＲＳパターンで異なる。）。
【０１４０】
【表２９】
0005607807.tif 000036
提案２．１８は、ＤＲＳパターングループ上への不均一なレイヤーＲＳパターンマッピング、３個のウォルシュカバー及び２個のサイクリックシフトコード資源を使用するモデルを例示する。
【０１４１】
提案２．１９は、ＤＲＳパターングループ上への不均一なレイヤーＲＳパターンマッピング、３個のウォルシュカバー及び２個のサイクリックシフトコード資源を使用する他のモデルを例示する（提案２．１８に比べて、レイヤー６及び７ＲＳパターンで異なるＣＳを使用）。
【０１４２】
【表３０】
0005607807.tif 000037
提案２．１―Ｃ／２．１―Ｄは、提案２．１―Ａ／２．１―Ｂよりも高いレイヤーＲＳインデックスでＤＲＳパターンをＤＲＳパターングループにより均一に配置するための方案を例示する。
【０１４３】
【表３１】
0005607807.tif 000038
提案２．２―Ｃ／２．２―Ｄは、提案２．２―Ａ／２．２―Ｂよりも高いレイヤーＲＳインデックスでＤＲＳパターンをＤＲＳパターングループにより均一に配置するための方案を例示する。
【０１４４】
【表３２】
0005607807.tif 000039
提案２．２―Ｅ／２．２―Ｆは、提案２．２―Ａ／２．２―Ｂよりも高いレイヤーＲＳインデックスでＤＲＳパターンをＤＲＳパターングループにより均一に配置するための方案を例示する。
【０１４５】
【表３３】
0005607807.tif 000040
提案２．２―Ｇ／２．２―Ｈは、提案２．２―Ａ／２．２―Ｂよりも高いレイヤーＲＳインデックスでＤＲＳパターンをＤＲＳパターングループにより均一に配置するための方案を例示する。
【０１４６】
【表３４】
0005607807.tif 000041
提案２．２―Ｉ／２．２―Ｊは、提案２．２―Ａ／２．２―Ｂよりも高いレイヤーＲＳインデックスでＤＲＳパターンをＤＲＳパターングループにより均一に配置するための方案を例示する。
【０１４７】
【表３５】
0005607807.tif 000042
提案２．４―Ａ／２．５―Ａは、提案２．４／２．５よりも高いレイヤーＲＳインデックスでＤＲＳパターンをＤＲＳパターングループにより均一に配置するための方案を例示する。
【０１４８】
【表３６】
0005607807.tif 000043
提案２．６―Ａ／２．７―Ａは、提案２．６／２．７よりも高いレイヤーＲＳインデックスでＤＲＳパターンをＤＲＳパターングループにより均一に配置するための方案を例示する。
【０１４９】
【表３７】
0005607807.tif 000044
提案２．８―Ａ／２．９―Ａは、提案２．８／２．９よりも高いレイヤーＲＳインデックスでＤＲＳパターンをＤＲＳパターングループにより均一に配置するための方案を例示する。
【０１５０】
【表３８】
0005607807.tif 000045
提案２．１０―Ａ／２．１１―Ａは、提案２．１０／２．１１よりも高いレイヤーＲＳインデックスでＤＲＳパターンをＤＲＳパターングループにより均一に配置するための方案を例示する。
【０１５１】
【表３９】
0005607807.tif 000046
提案２．２０は、ＤＲＳパターングループ上への不均一なレイヤーＲＳパターンマッピング方式を例示する。具体的な事項は、次に示す通りである。
【０１５２】
―ＤＲＳパターングループ＃０：２個のサイクリックシフト；ＤＲＳパターングループ＃１：６個のサイクリックシフト
―（サイクリックシフト、ＷＣ）とレイヤーインデックスとのマッピングは、それぞれのＤＲＳパターングループ＃０及び１に対してパーミュテーションすることができる。
【０１５３】
提案２１は、ＤＲＳパターングループ上への不均一なレイヤーＲＳパターンマッピング方式を例示する。具体的な事項は、次に示す通りである。
【０１５４】
―ＤＲＳパターングループ＃０：２個のサイクリックシフト；ＤＲＳパターングループ＃１：３個のサイクリックシフトと２個のＷＣ
―（サイクリックシフト、ＷＣ）とレイヤーインデックスとのマッピングは、それぞれのＤＲＳパターングループ＃０及び１に対してパーミュテーションすることができる。
【０１５５】
【表４０】
0005607807.tif 000047
提案２．２２は、ＤＲＳパターングループ上への不均一なレイヤーＲＳパターンマッピング方式を例示する。具体的な事項は、次に示す通りである。
【０１５６】
―ＤＲＳパターングループ＃０：２個のＷＣ；ＤＲＳパターングループ＃１：２個のＷＣ及び３個のサイクリックシフト
―（サイクリックシフト、ＷＣ）とレイヤーインデックスとのマッピングは、それぞれのＤＲＳパターングループ＃０及び１に対してパーミュテーションすることができる。
【０１５７】
提案２．２３は、ＤＲＳパターングループ上への不均一なレイヤーＲＳパターンマッピング方式を例示する。具体的な事項は、次に示す通りである。
【０１５８】
―ＤＲＳパターングループ＃０：２個のＷＣ；ＤＲＳパターングループ＃１：６個のサイクリックシフト
―（サイクリックシフト、ＷＣ）とレイヤーインデックスとのマッピングは、それぞれのＤＲＳパターングループ＃０及び１に対してパーミュテーションすることができる。
【０１５９】
【表４１】
0005607807.tif 000048
提案２．２４は、ＤＲＳパターングループ＃０及び＃１上への均等なレイヤー分割方式を例示する。具体的な事項は、次に示す通りである。
【０１６０】
―ＤＲＳパターングループ＃０及び＃１：２個のサイクリックシフトと２個のＷＣ
―（グループ、サイクリックシフト、ＷＣ）とレイヤーインデックスとのマッピングは、それぞれのＤＲＳパターングループ＃０及び１に対してパーミュテーションすることができる。
【０１６１】
提案２５：ＤＲＳパターングループ＃０及び＃１上への均等なレイヤー分割方式を例示する。具体的な事項は、次に示す通りである。
【０１６２】
―ＤＲＳパターングループ＃０及び＃１：４個のサイクリックシフト又は４個の４ＷＣ
―（グループ、サイクリックシフト、ＷＣ）とレイヤーインデックスとのマッピングは、それぞれのＤＲＳパターングループ＃０及び１に対してパーミュテーションすることができる。
【０１６３】
次に、本発明の一実施例に係るパワーブースティング（ｐｏｗｅｒ  ｂｏｏｓｔｉｎｇ）方案について説明する。本発明の全般にわたって提案されている各ＤＲＳパターンでＣＤＭ多重化が適用される場合、高いランク伝送になるほどビームフォーミング利得が減少する一方、同一の資源にＣＤＭ多重化するレイヤーＲＳの個数は増加する。したがって、高いランクで適切なチャンネル推定性能を提供するためのパワーブースティングを要求することができる。このとき、ＰＤＳＣＨ上のデータ伝送に対するレイヤー別に割り当てられたパワー（又はパワースペクトル密度（ｐｏｗｅｒ  ｓｐｅｃｔｒａｌ  ｄｅｎｓｉｔｙ；ＰＳＤ））と該当のレイヤーに対するＲＳ物理資源（ｐｈｙｓｉｃａｌ  ｒｅｓｏｕｒｃｅ  ｅｌｅｍｅｎｔ：ＰＲＥ）上のパワー（又はＰＳＤ）が異なるように設定される場合、ＲＳのパワー（又はＰＳＤ）の絶対値や、データＰＲＥのパワー（又はＰＳＤ）とＲＳ  ＰＲＥ上のレイヤーＲＳに設定されるパワー（又はＰＳＤ）との間の相対的な差又は比率をセル―特定又は端末（又は中継器）―特定ＲＲＣシグナリングで伝送したり、Ｌ１／Ｌ２  ＰＤＣＣＨ制御シグナリングで伝送することができる。個別レイヤー別のＲＳの各ＰＲＥ間のパワー（又はＰＤＳ）を設定する詳細方案は、次のように提案する。以下の各提案方案は、基本的に物理資源上のパワー（又はＰＳＤ）を適用するにおいてＲＳ物理資源に対するパワーブースティングを適用する動作と連係した方案を記述しているが、これに限定することはなく、一般的な状況でのデータ物理資源及びＲＳ物理資源上のパワー（又はＰＳＤ）関係を設定し、これをシグナリングする方案で適用可能であることを明示する。
【０１６４】
方案１：同一のレイヤーＲＳ＆データパワー（又はＰＳＤ）割り当て
個別伝送レイヤー別に均一なチャンネル推定性能を提供するために、各伝送レイヤー別のＲＳに対するパワー（又はＰＳＤ）を同一に設定することができる。これによって、特定ＤＲＳパターングループ上にＣＤＭ多重化されるレイヤーＲＳパターンの数によって該当のＤＲＳパターングループのＰＲＥに対して設定される全てのパワー（又はＰＳＤ）を、ＤＲＳパターングループ別に異なるように設定することができる。これに加えて、ＲＳに対するパワーブースティングを適用することができる。全般的なＰＤＳＣＨとＲＳ伝送資源及び／又は伝送レイヤー上のパワー（又はＰＳＤ）を設定してシグナリングする各細部方法は、下記のように提案する。
【０１６５】
方法１：全体のサブフレーム上でデータ伝送ＰＲＥのパワー（又はＰＳＤ）とＲＳ伝送ＰＲＥのパワー（又はＰＳＤ）との間の絶対値としての差又は相対的な比率としての差について構成することができる。特に、パワーブースティングをする場合、ＲＳが伝送される伝送シンボル上のデータ伝送ＰＲＥのパワー（又はＰＳＤ）とＲＳ伝送ＰＲＥのパワー（又はＰＳＤ）との間の絶対値としての差又は相対的な比率の設定と、ＲＳが伝送されない伝送シンボル上のデータ伝送ＰＲＥのパワー（又はＰＳＤ）とＲＳ伝送ＰＲＥのパワー（又はＰＳＤ）との間の絶対値としての差又は相対的な比率の設定を構成することができる。このとき、個別伝送レイヤー別にデータ伝送レイヤーに対するパワー（又はＰＳＤ）と該当のレイヤーＲＳパワー（又はＰＳＤ）との間の関係は、伝送レイヤー別に同一のパワーが設定されるという前提下で算出することができる。このとき、データ伝送ＰＲＥとＲＳ伝送ＰＲＥ上でレイヤー別の信号の重畳状況が異なるという点を考慮し、全体のＰＲＥ又は個別レイヤー単位でデータとＲＳとの間のパワー（又はＰＳＤ）を設定することができる。一例として、ランク―５伝送において、データ伝送ＰＲＥでは５個又はプリコーディングコードブックによる任意の個数の伝送レイヤー情報（又は信号又はエネルギー）がコーディングされて重畳される一方、ＲＳ  ＰＲＥでは、該当のＰＲＥが属したＤＲＳパターングループ上で多重化されるＲＳパターンの個数に基づいて該当の指定されたレイヤーＲＳ情報（又は信号又はエネルギー）がコーディングされて重畳される。これに対するスケーリング因子を反映することができる。これに対する設定又は構成されるデータ、ＲＳ間のＰＲＥ又は伝送レイヤー別のパワー（又はＰＤＳ）の絶対値との差又は相対的な比率としての差情報は、セル―特定又は端末（又は中継器）―特定ＲＲＣシグナリングで伝送したり、Ｌ１／Ｌ２  ＰＤＣＣＨ制御シグナリングで伝送することができる。
【０１６６】
方法２：方法１と異なり、全体のサブフレーム上のデータ伝送レイヤー上のパワー（又はＰＳＤ）とＲＳ伝送レイヤーのパワー（又はＰＳＤ）との間の絶対値としての差又は相対的な比率としての差について構成することができる。特に、パワーブースティングをする場合、ＲＳが伝送される伝送シンボル上のデータ伝送レイヤーのパワー（又はＰＳＤ）とＲＳ伝送レイヤーのパワー（又はＰＳＤ）との間の絶対値としての差又は相対的な比率の設定と、ＲＳが伝送されない伝送シンボル上のデータ伝送レイヤーのパワー（又はＰＳＤ）とＲＳ伝送レイヤーのパワー（又はＰＳＤ）との間の絶対値としての差又は相対的な比率の設定を構成することができる。このとき、データ伝送ＰＲＥとＲＳ伝送ＰＲＥ上でレイヤー別の信号の重畳状況が異なるという点を考慮し、全体のＰＲＥ又は個別レイヤー単位でデータとＲＳとの間のパワー（又はＰＳＤ）設定を行うことができる。一例として、ランク―５伝送において、データ伝送ＰＲＥでは５個又はプリコーディングコードブックによる任意の個数の伝送レイヤー情報（又は信号又はエネルギー）がコーディングされて重畳される一方、ＲＳ  ＰＲＥでは、該当のＰＲＥが属したＤＲＳパターングループ上で多重化されるＲＳパターンの個数に基づいて該当の指定されたレイヤーＲＳ情報（又は信号又はエネルギー）がコーディングされて重畳される。これに対するスケーリングファクターを反映することができる。これに対する設定又は構成されるデータとＲＳとの間の伝送レイヤー別のパワー（又はＰＤＳ）の絶対値の差又は相対的な比率としての差情報は、セル―特定又は端末（又は中継器）―特定ＲＲＣシグナリングで伝送したり、Ｌ１／Ｌ２  ＰＤＣＣＨ制御シグナリングで伝送することができる。
【０１６７】
方案２：異なるレイヤーＲＳ＆データパワー（又はＰＳＤ）割り当て
個別伝送レイヤー別のチャンネル推定性能及び／又は復号性能観点の加重値を付与するために、各伝送レイヤー別にＲＳに対するパワー（又はＰＳＤ）を異なるように設定することができる。これによって、特定ＤＲＳパターングループにＣＤＭ多重化されるレイヤーＲＳパターンの数によって該当のＤＲＳパターングループのＰＲＥに対して設定される全てのパワー（又はＰＳＤ）は、ＤＲＳパターングループ別に異なるように設定することができる。これに加えて、ＲＳ（又はＤＲＳ）に対するパワーブースティングを適用することができる。全般的なＰＤＳＣＨとＲＳ伝送資源及び／又は伝送レイヤー上のパワー（又はＰＳＤ）を設定してシグナリングする細部方法は、下記のように提案する。
【０１６８】
方法１：全体のサブフレーム上のデータ伝送ＰＲＥのパワー（又はＰＳＤ）とＲＳ伝送ＰＲＥのパワー（又はＰＳＤ）との間の絶対値としての差又は相対的な比率としての差について構成することができる。特に、パワーブースティングをする場合、ＲＳが伝送される伝送シンボル上のデータ伝送ＰＲＥのパワー（又はＰＳＤ）とＲＳ伝送ＰＲＥのパワー（又はＰＳＤ）との間の絶対値としての差又は相対的な比率の設定と、ＲＳが伝送されない伝送シンボル上のデータ伝送ＰＲＥのパワー（又はＰＳＤ）とＲＳ伝送ＰＲＥのパワー（又はＰＳＤ）との間の絶対値としての差又は相対的な比率の設定を構成することができる。このとき、個別伝送レイヤー別のデータ伝送レイヤーに対するパワー（又はＰＳＤ）と該当のレイヤーＲＳパワー（又はＰＳＤ）との関係は、伝送レイヤー別に異なるようにパワーが設定されるという前提下で、明示的に個別又は特定レイヤータイプに対するパワー差の絶対値又は相対的な比率としての差値がシグナリングされたり、黙示的に適用されるランク値によって特定規則に基づいて個別伝送レイヤー別に異なるように設定されることを識別することができる。このとき、データ伝送ＰＲＥとＲＳ伝送ＰＲＥ上でレイヤー別の信号の重畳状況が異なるという点を考慮し、全体のＰＲＥ又は個別レイヤー単位でデータとＲＳとの間のパワー（又はＰＳＤ）設定を行うことができる。一例として、ランク―５伝送において、データ伝送ＰＲＥでは５個又はプリコーディングコードブックによる任意の個数の伝送レイヤー情報（又は信号又はエネルギー）がコーディングされて重畳される一方、ＲＳ  ＰＲＥでは、該当のＰＲＥが属したＤＲＳパターングループ上で多重化されるＲＳパターンの個数に基づいて該当の指定されたレイヤーＲＳ情報（又は信号又はエネルギー）がコーディングされて重畳される。これに対するスケーリングファクターを反映することができる。これに対する設定又は構成されるデータとＲＳとの間のＰＲＥ又は伝送レイヤー別のパワー（又はＰＤＳ）の絶対値の差又は相対的な比率としての差情報は、セル―特定又は端末（又は中継器）―特定ＲＲＣシグナリングで伝送したり、Ｌ１／Ｌ２  ＰＤＣＣＨ制御シグナリングで伝送することができる。もちろん、伝送レイヤーのグループ単位又は個別レイヤー単位で異なるように設定されるＲＳ及び／又はデータのパワー（又はＰＳＤ）設定値又はこれに対する間接的な指示情報が明示的にシグナリングされる場合、セル―特定又は端末（又は中継器）―特定ＲＲＣシグナリングで伝送したり、Ｌ１／Ｌ２  ＰＤＣＣＨ制御シグナリングで伝送することができる。
【０１６９】
方法２：全体のサブフレーム上のデータ伝送レイヤーのパワー（又はＰＳＤ）とＲＳ伝送レイヤーのパワー（又はＰＳＤ）との間の絶対値としての差又は相対的な比率としての差について構成することができる。特に、パワーブースティングをする場合、ＲＳが伝送される伝送シンボル上のデータ伝送レイヤーのパワー（又はＰＳＤ）とＲＳ伝送レイヤーのパワー（又はＰＳＤ）との間の絶対値としての差又は相対的な比率の設定と、ＲＳが伝送されない伝送シンボル上のデータ伝送レイヤーのパワー（又はＰＳＤ）とＲＳ伝送レイヤーのパワー（又はＰＳＤ）との間の絶対値としての差又は相対的な比率の設定を構成することができる。このとき、個別伝送レイヤー別にデータ伝送レイヤーに対するパワー（又はＰＳＤ）と該当のレイヤーＲＳパワー（又はＰＳＤ）との関係は、伝送レイヤー別に異なるようにパワーが設定されるという前提下で明示的に個別又は特定レイヤータイプに対するパワー差の絶対値又は相対的な比率としての差値がシグナリングされたり、黙示的に適用されるランク値によって特定規則に基づいて個別伝送レイヤー別に異なるように設定されることを識別することができる。このとき、データ伝送ＰＲＥとＲＳ伝送ＰＲＥ上でレイヤー別の信号の重畳状況が異なるという点を考慮し、全体のＰＲＥ又は個別レイヤー単位でデータとＲＳとの間のパワー（又はＰＳＤ）設定を行うことができる。一例として、ランク―５伝送において、データ伝送ＰＲＥでは、５個又はプリコーディングコードブックによる任意の個数の伝送レイヤー情報（又は信号又はエネルギー）がコーディングされて重畳される一方、ＲＳ  ＰＲＥでは、該当のＰＲＥが属したＤＲＳパターングループ上で多重化されるＲＳパターンの個数に基づいて該当の指定されたレイヤーＲＳ情報（又は信号又はエネルギー）がコーディングされて重畳される。これに対するスケーリングファクターを反映することができる。これに対する設定又は構成されるデータとＲＳとの間の伝送レイヤー別のパワー（又はＰＤＳ）の絶対値の差又は相対的な比率としての差情報は、セル―特定又は端末（又は中継器）―特定ＲＲＣシグナリングで伝送したり、Ｌ１／Ｌ２  ＰＤＣＣＨ制御シグナリングで伝送することができる。もちろん、伝送レイヤーのグループ単位又は個別レイヤー単位で異なるように設定されるＲＳ及び／又はデータのパワー（又はＰＳＤ）設定値又はこれに対する間接的な指示情報が明示的にシグナリングされる場合、セル―特定又は端末（又は中継器）―特定ＲＲＣシグナリングで伝送したり、Ｌ１／Ｌ２  ＰＤＣＣＨ制御シグナリングで伝送することができる。
【０１７０】
図９は、本発明の一実施例に適用可能な送信機を例示する。図９は、送信機がＭＩＭＯモードでダウンリンク伝送を行う過程を例示することができる。ＭＩＭＯをサポートするシステムで、基地局は、ダウンリンクで一つ以上のコードワードを伝送することができる。コードワードは、上位階層からの伝送ブロックにマッピングされる。図９は、２個のコードワードが伝送される場合を仮定する。
【０１７１】
図９を参照すると、受信機は、スクランブリングモジュール８０１、変調マッパー８０２、レイヤーマッパー８０３、レイヤーＲＳ挿入部８０４、プリコーダー８０５、資源要素マッパー８０６、ＯＦＤＭ信号生成部８０７を含む。レイヤーＲＳ挿入部８０４は、レイヤーマッパー８０３の機能ブロックに具現することもできる。スクランブリングモジュール８０１及び変調マッパー８０２は、一つ以上のコードワード（ＣｏｄｅＷｏｒｄ；ＣＷ）を複素シンボルとして処理する。その後、レイヤーマッパー８０３は、一つ以上のコードワード別に生成される各複素シンボルを複数のレイヤーにマッピングする。レイヤーの個数はランクの値と同一である。レイヤーＲＳ挿入部８０４は、レイヤー（又は（仮想）アンテナポート）に本発明に係るレイヤーＲＳを挿入する。レイヤーＲＳは、ＤＲＳパターングループとコード資源インデックスによって定義され、必要な場合、２―Ｄ（Ｄｉｍｅｎｓｉｏｎ）ＣＤＭのための追加のコード資源インデックスによって定義することができる。また、必要な場合、レイヤーＲＳは、スクランブリングのためのコード資源をさらに用いて定義することができる。プリコーダー８０５は、所定のプリコーディング行列を用いてレイヤーをそれぞれの送信アンテナに分配／割り当てる。プリコーダー８０５は、通常、Ｎｔ（送信アンテナの個数）＊ｖ（空間多重化率）行列に表現され、チャンネル状況（例えば、ＰＭＩ（Ｐｒｅｃｏｄｉｎｇ  Ｍａｔｒｉｘ  Ｉｎｄｉｃａｔｏｒ））によって適切にプリコーディング行列を適応的に使用する。送受信機が予め定めておいたプリコーディング行列の集合をコードブックという。資源要素マッパー８０６は、プリコーディングされた複素列を該当のアンテナのための時間―周波数資源要素にマッピングする。ＯＦＤＭ信号生成部８０７は、時間―周波数資源要素にマッピングされた複素シンボルにＩＦＦＴを適用し、ＯＦＤＭシンボルを生成する。ＯＦＤＭシンボルは、アンテナポートを介して各アンテナに伝達される。
【０１７２】
図１０〜図１４は、レイヤーマッパー８０３でコードワードをレイヤーにマッピングする例を示す。コードワード―対―レイヤーマッピング関係は、ＲＳシーケンスをレイヤーにマッピングする場合にも同一／類似する形で適用される。説明の便宜上、図面では、二つのコードワード（ＣＷ１及びＣＷ２）をレイヤーにマッピングする場合を例示する。しかし、Ｎｔ個の送信アンテナを有する場合、最大Ｎｔのランクを有することができ、Ｎｔ個のコードワードを独立的に伝送することができる。図面において、プリコーダーに入力される数字は、レイヤーインデックス（又は（仮想）アンテナポート）を示す。
【０１７３】
図１０及び図１１は、基本的なコードワード―対―レイヤーマッピング関係の一例を示す。図１０及び図１１によると、コードワード―対―レイヤーマッピング上で、レイヤーインデックスの順序は、ランクの増加によって追加される各レイヤーが順次整列される論理的なインデキシングを伴っている。図１０及び図１１は、それぞれランク１〜４及びランク５〜８の場合を例示する。図１０及び図１１を参照すると、一つのコードワード（ＣＷ）が一つのレイヤーにマッピングされる場合、コードワード（ＣＷ）は、プリコーダーに直接入力されたり、直並列変換器（Ｓ／Ｐ）を形式的に経てプリコーダーに入力される。一方、一つのコードワード（ＣＷ）が二つ以上のレイヤーにマッピングされる場合、コードワード（ＣＷ）は、直並列変換器（Ｓ／Ｐ）を通して二つ以上のレイヤーにマッピングされた後、プリコーダーに入力される。直並列変換器（Ｓ／Ｐ）の機能は、図９のレイヤーマッパー８０３に対応する。図９のレイヤーＲＳ挿入部８０５は、機能的に直並列変換器Ｓ／Ｐとプリコーダーとの間に位置する。表４２は、図１０及び図１１のコードワード―対―レイヤーマッピング関係を数式で示したものである。
【０１７４】
【表４２−１】
0005607807.tif 000049
【０１７５】
【表４２−２】
0005607807.tif 000050
【０１７６】
【表４２−３】
0005607807.tif 000051
前記表で、ｘ（ａ）（ｉ）は、レイヤーａのｉ番目のシンボルを示し、ｄ（ｎ）（ｉ）は、コードワードｎのｉ番目のシンボルを示す。Ｍｌａｙｅｒｓｙｍｂは、レイヤーにマッピングされる複素シンボルの個数を示し、Ｍ（ｎ）ｓｙｍｂは、コードワードｎに含まれた複素シンボルの個数を示す。
【０１７７】
図１２は、拡張されたコードワード―対―レイヤーマッピング関係を示す。図１２の例は、任意のコードワードに対応するバッファーが空の状態である場合又はランクオーバーライディング（ｒａｎｋ  ｏｖｅｒｒｉｄｉｎｇ）の場合に使用することができる。コードワードに対応するバッファーが空の状態である場合は、ＨＡＲＱ（Ｈｙｂｒｉｄ  Ａｕｔｏｍａｔｉｃ  Ｒｅｐｅａｔ  ａｎｄ  ｒｅＱｕｅｓｔ）再伝送の場合を含む。基本的な事項は、図１０及び図１１を参照して説明したものと同一である。表４３は、図１２のコードワード―対―レイヤーマッピング関係を数式で示したものである。
【０１７８】
【表４３】
0005607807.tif 000052
前記表で、ｘ（ａ）（ｉ）は、レイヤーａのｉ番目のシンボルを示し、ｄ（ｎ）（ｉ）は、コードワードｎのｉ番目のシンボルを示す。Ｍｌａｙｅｒｓｙｍｂは、レイヤーにマッピングされる複素シンボルの個数を示し、Ｍ（ｎ）ｓｙｍｂは、コードワードｎに含まれた複素シンボルの個数を示す。
【０１７９】
図１３及び図１４は、レイヤーインデックスが再整列される場合のコードワード―対―レイヤーマッピング関係の一例を示す。本状況は、ランク―独立的レイヤー―ＲＳポートマッピングを適用せずに、ランク―２とランク―３との間の境界を基準にして異なる形態のレイヤー―ＲＳポートマッピングを適用する方案を例示する。表４４及び表４５を共に参照し、本状況について説明する。表４４は、ランク―１及びランク―２である場合のレイヤー―ＲＳポートマッピング方案を例示し、表４５は、ランク―３〜ランク―８である場合のレイヤー―ＲＳポートマッピング方案を例示する。表４４及び表４５は、それぞれ提案＃１．１―Ｂ及び＃１．１―Ｄの一部である。
【０１８０】
【表４４】
0005607807.tif 000053
【０１８１】
【表４５】
0005607807.tif 000054
前記表で、レイヤーインデックスの順序は、ランクの増加によってコードワード―レイヤーマッピング上で追加される各レイヤーの順に順序化（ｏｒｄｅｒｉｎｇ）される論理的なインデキシングを伴っており、特定目的に応じて再整列して表現することができる。図１３及び図１４には、レイヤー順序化の例を示した。
【０１８２】
レイヤーインデックスの再整列は、一連の前処理によって行われたり、レイヤーインデックスと（仮想）アンテナポートとのマッピングの観点でこれらのマッピング関係が論理的に変更されたと理解することができる。一例として、レイヤーインデックス再整列は、図１２のレイヤーインデックスと（仮想）アンテナポートとのマッピングにおいて、ランクの増加によって新たに追加されて定義される各レイヤーに対して順にインデックスを設定する方法と理解することもできる。この場合、レイヤーＲＳ資源は、レイヤーインデックス又は（仮想）アンテナポートを基準にしてマッピングされるものと理解することができる。基本的な事項は、図１０、図１１及び図１２を参照して説明したものと同一である。
【０１８３】
図１５は、本発明の実施例に適用可能な受信機を例示する。図１５は、端末が基地局からＭＩＭＯモードで信号を受信する過程を例示することができる。
【０１８４】
図１５を参照すると、受信機は、アンテナ、ＲＦモジュールブロック１２０１、ＣＰ除去ブロック１２０２、ＦＦＴ（Ｆａｓｔ  Ｆｏｕｒｉｅｒ  Ｔｒａｎｓｆｏｒｍ）ブロック１２０３、チャンネル推定器１２０４及びＭＩＭＯ復号ブロック１２０５を含む。ＲＦモジュールブロック１２０１は、Ｍ（≧１）個の物理受信アンテナに入ってくるダウンリンク伝送信号に対して個別的に信号増幅及びフィルタリングの過程を行う。ＣＰ除去ブロック１２０２は、受信ＯＦＤＭシンボル区間上でＣＰに該当する時間サンプル部分を除去する。ＦＦＴブロック１２０３は、ＣＰが除去されたサンプルに対してＦＦＴを行う。チャンネル推定器１２０４は、ＦＦＴ出力端に連結され、予めＤＬチャンネル割り当てＰＤＣＣＨを介してスケジューリングされた物理資源ブロック（Ｐｈｙｓｉｃａｌ  Ｒｅｓｏｕｒｃｅ  Ｂｌｏｃｋ；ＰＲＢ）単位の周波数資源領域に該当する副搬送波信号サンプル領域のうちＲＳ（例えば、ＤＭ―ＲＳ（ｄｅｍｏｄｕｌａｔｉｏｎ  ｒｅｆｅｒｅｎｃｅ
ｓｉｇｎａｌ））がマッピングされた各資源要素（ＲＥ）から信号を検出／抽出し、チャンネル推定を行う。ＤＭ―ＲＳ  ＲＥは、基地局伝送部でデータＲＥと同一のプリコーディングを適用した状況であり、該当のプリコーダーは、端末受信部上のチャンネル推定過程で無線チャンネルと重合し、等価的チャンネル係数を形成する。ＭＩＭＯ復号ブロック１２０５は、チャンネル推定器１２０４を通してＤＭ―ＲＳ  ＲＥから抽出した信号に基づいて周波数資源領域内の各データＲＥに対するＮ＊Ｍチャンネルマトリックスを構成してＭＩＭＯ復号を行い、Ｎ個の受信レイヤー又は受信ストリームを形成して出力する。その後、Ｎ個の受信レイヤー又は受信ストリームには、端末の受信過程として復調及びチャンネル復号過程が適用される。
【０１８５】
図１６は、本発明に実施例に適用可能な基地局と端末を例示する。
【０１８６】
図１６を参照すると、無線通信システムは、基地局（ＢＳ）１１０及び端末（ＵＥ）１２０を含む。ダウンリンクでは、送信機は基地局１１０の一部であり、受信機は端末１２０の一部である。また、アップリンクでは、送信機は端末１２０の一部であり、受信機は基地局１１０の一部である。基地局１１０は、プロセッサ１１２、メモリ１１４及び無線周波数（Ｒａｄｉｏ  Ｆｒｅｑｕｅｎｃｙ；ＲＦ）ユニット１１６を含む。プロセッサ１１２は、本発明で提案した手順及び／又は各方法を具現するように構成することができる。メモリ１１４は、プロセッサ１１２に連結され、プロセッサ１１２の動作と関連した多様な情報を格納する。ＲＦユニット１１６は、プロセッサ１１２に連結され、無線信号を送信及び／又は受信する。端末１２０は、プロセッサ１２２、メモリ１２４及びＲＦユニット１２６を含む。プロセッサ１２２は、本発明で提案した手順及び／又は各方法を具現するように構成することができる。メモリ１２４は、プロセッサ１２２に連結され、プロセッサ１２２の動作と関連した多様な情報を格納する。ＲＦユニット１２６は、プロセッサ１２２に連結され、無線信号を送信及び／又は受信する。基地局１１０及び／又は端末１２０は、単一アンテナ又は多重アンテナを有することができる。
【０１８７】
以上説明した各実施例は、本発明の各構成要素と特徴が所定形態に結合されたものである。各構成要素又は特徴は、別途の明示的な言及がない限り、選択的なものとして考慮しなければならない。各構成要素又は特徴は、他の構成要素や特徴と結合されない形態で実施可能である。また、一部の構成要素及び／又は特徴を結合して本発明の実施例を構成することも可能である。本発明の各実施例で説明する各動作の順序は変更可能である。一つの実施例の一部の構成や特徴は、他の実施例に含ませたり、又は、他の実施例の対応する構成又は特徴に取り替えることができる。特許請求の範囲で明示的な引用関係のない各請求項を結合して実施例を構成したり、出願後の補正によって新しい請求項を含ませることが可能であることは自明である。
【０１８８】
本発明の各実施例は、主に端末と基地局との間のデータ送受信関係を中心に説明した。本文書で、基地局によって行われると説明した特定動作は、場合によってはその上位ノードによって行うことができる。すなわち、基地局を含む複数のネットワークノードからなるネットワークで端末との通信のために行われる多様な動作は、基地局又は基地局以外の他のネットワークノードによって行えることは自明である。基地局は、固定局（ｆｉｘｅｄ  ｓｔａｔｉｏｎ）、Ｎｏｄｅ  Ｂ、ｅＮｏｄｅ  Ｂ（ｅＮＢ）、アクセスポイントなどの用語に取り替えることができる。また、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に取り替えることができる。
【０１８９】
本発明に係る実施例は、多様な手段、例えば、ハードウェア、ファームウェア、ソフトウェア又はそれらの結合などによって具現することができる。ハードウェアによる具現の場合、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０１９０】
ファームウェアやソフトウェアによる具現の場合、本発明の一実施例は、以上説明した機能又は各動作を行うモジュール、手順又は関数などの形態で具現することができる。ソフトウェアコードは、メモリユニットに格納されてプロセッサによって駆動され得る。前記メモリユニットは、前記プロセッサの内部又は外部に位置し、既に公知の多様な手段によって前記プロセッサとの間でデータを取り交わすことができる。
【０１９１】
本発明がその特徴を逸脱しない範囲で他の特定の形態に具体化され得ることは、当業者にとって自明である。したがって、前記の詳細な説明は、全ての面で制限的に解釈してはならなく、例示的なものとして考慮しなければならない。本発明の範囲は、添付の請求項の合理的な解釈によって決定しなければならなく、本発明の等価的範囲内での全ての変更は本発明の範囲に含まれる。
【産業上の利用可能性】
【０１９２】
本発明は、無線通信システムに適用することができる。具体的に、本発明は、多重アンテナを用いて参照信号を伝送する方法及び装置に適用することができる。
【図１】
0005607807.tif 000059
【図２】
0005607807.tif 000060
【図３】
0005607807.tif 000061
【図４】
0005607807.tif 000062
【図５】
0005607807.tif 000063
【図６】
0005607807.tif 000064
【図７】
0005607807.tif 000065
【図８】
0005607807.tif 000066
【図９】
0005607807.tif 000067
【図１０】
0005607807.tif 000068
【図１１】
0005607807.tif 000069
【図１２】
0005607807.tif 000070
【図１３】
0005607807.tif 000071
【図１４】
0005607807.tif 000072
【図１５】
0005607807.tif 000073
【図１６】
0005607807.tif 000074